(57)【要約】【課題】一度排紙されたあと手動で給紙トレイに戻された印刷結果物に再度印刷を行うことで両面印刷を行う手動両面印刷において、裏紙の既印刷面に付加情報が印刷されて裏紙の未印刷面に印刷ジョブのデータが印刷される画像形成装置を提供する。【解決手段】印刷方法判定部１０３で自動両面印刷が不可と判定されると、裏紙の未印刷面に印刷ジョブのデータが印刷部１０５で印刷され、その印刷によって排出された排出結果がその印刷による印刷面の裏面が次の印刷面となるように給紙トレイに収納され、収納された印刷結果に付加情報データ生成部１０９で生成された付加情報が印刷される。【選択図】図１
2010221416.tif 000002
【特許請求の範囲】
【請求項１】
印刷ジョブを受信する受信手段と、
印刷される用紙を収納する給紙トレイと、
給紙トレイに収容される用紙情報を管理する用紙情報管理手段と、
前記管理手段により管理される用紙情報に基づき、前記印刷ジョブの印刷に係る給紙元トレイと収容される用紙種別を特定する特定手段と、
前記特定手段により特定された用紙種別が両面印刷可能である用紙であって片面に既に情報が印刷された裏紙である場合、前記給紙元トレイから給紙した前記裏紙の既印刷面に付加情報を印刷しその裏面である未印刷面に前記印刷ジョブデータを印刷する裏紙両面印刷を実施し、前記用紙種別が両面印刷可能な裏紙でない場合、前記給紙元トレイから給紙した前記裏紙の未印刷面に前記受信手段で受信した印刷ジョブのデータを片面印刷する裏紙印刷制御手段と、
前記裏紙印刷制御手段で印刷される前に既に情報が印刷されている前記裏紙の既印刷面に印刷される付加情報のデータを生成する付加情報生成手段と、
前記裏紙印刷制御手段で片面印刷されて排紙された前記裏紙を、当該印刷による印刷面の裏面が次の印刷における印刷面となるように前記給紙トレイへの収納を受付けて、当該裏紙に前記付加情報生成手段によって生成された付加情報のデータを片面印刷するよう制御する裏紙情報付加印刷制御手段と
を具備する画像形成装置。
【請求項２】
前記裏紙情報付加印刷制御手段は、
前記特定手段により特定された用紙種別が両面印刷可能な裏紙の場合、前記給紙元トレイから給紙した前記裏紙の既印刷面に付加情報を印刷しその裏面である未印刷面に前記印刷ジョブデータを印刷する裏紙両面印刷を実施し、前記用紙種別が両面印刷可能な裏紙でない場合、前記給紙元トレイから給紙した前記裏紙の既印刷面に前記付加情報生成手段によって生成された付加情報のデータを片面印刷するよう制御し、
前記裏紙印刷制御手段は、
前記裏紙情報付加印刷制御手段で片面印刷されて排紙された前記裏紙を、前記裏紙の未印刷面が次の印刷における印刷面となるように前記給紙トレイへの収納を受付けて、当該裏紙に前記受信手段で受信した印刷ジョブのデータを片面印刷するよう制御する
請求項１記載の画像形成装置。
【請求項３】
前記裏紙情報付加印刷制御手段は、
前記用紙種別が両面印刷可能な裏紙でない場合、前記受信手段で受信した印刷ジョブを消去し、
当該印刷ジョブの送信元である送信端末に、前記送信端末が当該印刷ジョブの送信時に記憶していた当該印刷ジョブと同じ印刷ジョブを送信するよう要求する要求手段
を備え、
前記裏紙印刷制御手段は、
前記要求手段に応じて前記送信端末から送信される印刷ジョブのデータを前記裏紙の未印刷面に片面印刷するよう制御する
請求項２記載の画像形成装置。
【請求項４】
前記裏紙情報付加印刷制御手段は、
前記用紙種別が両面印刷可能な裏紙でない場合、前記受信手段で受信した印刷ジョブを消去し、
当該印刷ジョブの送信元である送信端末に、当該印刷ジョブの再送信を要求する再送信要求手段
を備え、
前記裏紙印刷制御手段は、
前記再送信要求手段に応じて前記送信端末で再生成されて送信される印刷ジョブのデータを片面印刷する
請求項２記載の画像形成装置。
【請求項５】
印刷ジョブを受信する受信手段と、
印刷される用紙を収納する給紙トレイと、
給紙トレイに収容される用紙情報を管理する用紙情報管理手段と、
前記管理手段により管理される用紙情報に基づき、前記印刷ジョブの印刷に係る給紙元トレイと収容される用紙種別を特定する特定手段と、
前記特定手段により特定された用紙種別が両面印刷可能である用紙であって片面に既に情報が印刷された裏紙である場合、前記給紙元トレイから給紙した前記裏紙の既印刷面に当該印刷ジョブの送信元から受信する付加情報を印刷しその裏面である未印刷面に前記印刷ジョブデータを印刷する裏紙両面印刷を実施し、前記用紙種別が両面印刷可能な裏紙でない場合、前記受信手段で受信した印刷ジョブを消去し、当該印刷ジョブの送信元である送信端末に、前記裏紙の既印刷面に印刷される付加情報のデータを要求する付加情報要求手段と、
前記給紙元トレイから給紙した前記裏紙の既印刷面に前記付加情報要求手段に応じて該送信端末から送信される前記付加情報のデータを片面印刷する裏紙情報付加印刷制御手段と、
該送信端末に、前記受信手段で受信した印刷ジョブの再送信を要求する再送信要求手段と、
前記裏紙情報付加印刷制御手段で片面印刷されて排紙された前記裏紙を、前記裏紙の未印刷面が次の印刷における印刷面となるように前記給紙トレイへの収納を受付けて、当該裏紙に前記再送信要求手段に応じて前記送信端末で再生成されて送信される印刷ジョブのデータを片面印刷するよう制御する裏紙印刷制御手段と
を具備する画像形成装置。
【請求項６】
印刷ジョブを受信する受信手段と、
印刷される用紙を収納する給紙トレイと、
片面に既に情報が印刷されている裏紙の既印刷面に印刷される付加情報のデータを生成する付加情報生成手段と、
前記給紙トレイに収容されている前記裏紙の未印刷面に、前記受信手段で受信した印刷ジョブのデータを印刷するジョブ印刷制御手段と、
前記印刷ジョブ制御手段で印刷された前記裏紙が、当該印刷による印刷面の裏面が次の印刷における印刷面となるように前記給紙トレイへの収納を受付けて、当該裏紙に前記付加情報生成手段で生成された付加情報のデータが印刷開始指示の受付けに応じて印刷開始されるよう制御する付加情報印刷制御手段と、
前記ジョブ印刷制御手段による印刷終了後、所定の時間が経過しても前記印刷開始指示を受付けなかった場合には、自装置を異常状態に移行させる異常状態移行手段と
を具備する画像形成装置。
【請求項７】
パスワードを記憶するパスワード記憶手段と、
前記異常状態移行手段により異常状態に移行した場合に、前記パスワード入力を受付けるパスワード受付手段と、
前記パスワード受付手段で受付けたパスワードが、前記パスワード記憶手段で記憶するパスワードと一致する場合に、前記異常状態移行手段により移行した前記異常状態から自装置を復旧させる復旧手段と
更に具備する請求項６記載の画像形成装置。
【請求項８】
前記異常状態移行手段により自装置が異常状態に移行している場合、或いは、前記ジョブ印刷制御手段による印刷終了後に前記印刷開始指示を受付けていない場合に、自装置の電源オフを受付けると、エラー情報を不揮発性記憶手段に記憶してから自装置の電源をオフにするよう制御する電源オフ制御手段
を更に具備する請求項６または７記載の画像形成装置。
【請求項９】
自装置に電源が投入された後、前記不揮発性記憶手段に前記エラー情報が記憶されている場合には、自装置を異常状態に移行させるよう制御する電源投入制御手段
を更に具備する請求項８記載の画像形成装置。
【請求項１０】
印刷指示した操作者の識別情報が付与された印刷ジョブを受信する受信手段と、
印刷される用紙を収納する給紙トレイと、
片面に既に情報が印刷されている用紙である裏紙を使用した印刷に際して前記裏紙の既印刷面に付加情報を印刷すべきと設定されている操作者のリストを記憶する操作者リスト記憶手段と、
前記裏紙の既印刷面に印刷される付加情報のデータを生成する付加情報生成手段と、
前記給紙トレイから給紙した前記裏紙の未印刷面に前記受信手段で受信した印刷ジョブのデータを片面印刷する裏紙印刷制御手段と、
前記裏紙印刷制御手段で片面印刷されて排紙された前記裏紙を、当該印刷による印刷面の裏面が次の印刷における印刷面となるように前記給紙トレイへの収納を受付けて、当該裏紙に前記付加情報生成手段によって生成された付加情報のデータを印刷開始指示の受付けに応じて片面印刷開始するよう制御する裏紙情報付加印刷制御手段と、
前記受信手段で受信した前記識別情報で特定される操作者が前記操作者リスト記憶手段で記憶される操作者であって、前記裏紙印刷制御手段による印刷終了後から所定の時間が経過しても前記裏紙情報付加印刷制御手段による印刷の印刷開始指示を受付けない場合には、前記受信手段で受信した前記識別情報で特定される操作者を不許可操作者として登録する登録手段と
を備える画像形成装置。
【請求項１１】
印刷指示した操作者の識別情報が付与された印刷ジョブを受信する受信手段と、
印刷される用紙を収納する給紙トレイと、
片面に既に情報が印刷されている用紙である裏紙を使用した印刷に際して前記裏紙の既印刷面に付加情報を印刷すべきと設定されている操作者のリストを記憶する操作者リスト記憶手段と、
前記裏紙の既印刷面に印刷される付加情報のデータを生成する付加情報生成手段と、
前記給紙トレイから給紙した前記裏紙の既印刷面に前記付加情報生成手段で生成した付加情報のデータを片面印刷する裏紙情報付加印刷制御手段と、
前記裏紙情報付加印刷制御手段で片面印刷されて排紙された前記裏紙を、当該裏紙の未印刷面が次の印刷における印刷面となるように前記給紙トレイへの収納を受付けて、当該裏紙に前記受信手段で受信した印刷ジョブのデータを印刷開始指示の受付けに応じて片面印刷開始するよう制御する裏紙印刷制御手段と、
前記受信手段で受信した前記識別情報で特定される操作者が前記操作者リスト記憶手段で記憶される操作者であって、前記裏紙情報付加印刷制御手段による印刷終了後から所定の時間が経過しても前記裏紙印刷制御手段による印刷の印刷開始指示を受付けない場合には、前記受信手段で受信した前記識別情報で特定される操作者を不許可操作者として登録する登録手段と
を備える画像形成装置。
【請求項１２】
印刷ジョブを受信する受信手段と、
印刷される用紙を収納する給紙トレイと、
片面に既に情報が印刷されている裏紙の既印刷面に印刷される付加情報のデータを生成する付加情報生成手段と、
前記給紙トレイから給紙した前記裏紙の既印刷面に前記付加情報生成手段で生成した付加情報のデータを片面印刷する裏紙情報付加印刷制御手段と、
前記裏紙情報付加印刷制御手段で印刷された前記裏紙に両面印刷済みの用紙が含まれていた場合には、前記給紙トレイから給紙する前記裏紙の既印刷面に前記付加情報生成手段で生成したデータを追加印刷させる印刷枚数を受付ける印刷枚数受付手段と、
前記給紙元トレイから給紙した前記印刷枚数受付手段で受付けた印刷枚数の前記裏紙の既印刷面に前記付加情報生成手段で生成した付加情報のデータを追加片面印刷する裏紙情報付加追加印刷制御手段と、
前記裏紙情報付加印刷制御手段と前記裏紙情報付加追加印刷制御手段とで印刷された前記裏紙を、当該裏紙の未印刷面が次の印刷における印刷面となるように前記給紙トレイへの収納を受付けて、当該裏紙に前記受信手段で受信した印刷ジョブのデータを片面印刷するよう制御する裏紙印刷制御手段と
を具備する画像形成装置。
【請求項１３】
印刷ジョブを受信する受信手段と、
印刷される用紙を収納する給紙トレイと、
片面に既に情報が印刷されている用紙である裏紙の既印刷面に印刷される付加情報のデータを生成する付加情報生成手段と、
前記給紙トレイから給紙した前記裏紙の既印刷面に前記付加情報生成手段で生成した付加情報のデータを片面印刷する裏紙情報付加印刷制御手段と、
前記裏紙情報付加印刷制御手段で印刷されて排紙された前記裏紙が、前記裏紙の未印刷面が次の印刷における印刷面となるように前記給紙トレイへの収納を受付けて、当該裏紙に前記受信手段で受信した印刷ジョブのデータを片面印刷するよう制御する裏紙印刷制御手段と、
前記裏紙印刷制御手段による片面印刷の最中に、前記裏紙情報付加印刷制御手段で印刷されて前記給紙トレイに収納された前記裏紙の未印刷面に当該印刷ジョブのデータが印刷されない印刷不具合が発生した場合には、当該印刷されなかった枚数の前記給紙トレイから給紙した前記裏紙の既印刷面に前記付加情報生成手段で生成した付加情報のデータを追加片面印刷する裏紙情報付加追加印刷制御手段と、
前記裏紙情報付加追加印刷制御手段で追加印刷されて排紙された前記裏紙を、前記裏紙の未印刷面が次の印刷における印刷面となるように前記給紙トレイへの収納を受付けて、前記印刷不具合により印刷されずに残った当該印刷ジョブのデータを収納された当該裏紙に追加片面印刷するよう制御する裏紙追加印刷制御手段と
を具備する画像形成装置。
【発明の詳細な説明】
【技術分野】
【０００１】
本発明は、画像形成装置に関する。
【背景技術】
【０００２】
従来より、印刷用紙の資源を節約するために、用紙の片面に既情報が印刷された用紙（いわゆる裏紙）を使った印刷が行われる場合がある。
【０００３】
裏紙印刷は、裏紙の未印刷面にユーザ印刷指示の印刷ジョブを印刷することで、裏紙を廃棄せずに再利用可能とするものである。
【０００４】
特許文献１では、用紙への画像印刷を行う画像形成部と、前記用紙の表裏を反転する用紙反転部と、前記用紙が片面使用済みの裏紙であるか否かを判定する裏紙判定部とを有し、印刷に使用される用紙が裏紙であると判定された場合には、該用紙の未使用面に所望の画像を印刷する一方で、使用済み面にその内容を隠蔽する付加情報印刷を行う画像形成装置が提案されている。
【０００５】
また、特許文献２では、自動両面印刷機構を利用して、裏紙利用時の既印刷面に使用済みマークとなる付加情報を印刷する画像形成装置が提案されている。
【０００６】
また、特許文献３では、ユーザ毎に予め定められた給紙トレイから強制的に給紙を行って、使用済み用紙（裏紙）の片面印刷をおこなうとき、裏面に使用済み記号となる付加情報の印刷を行うようにしたプリンタ制御装置、プリンタ制御システム、プリンタ制御方法及び該方法を実行するためのプログラムを格納した記録媒体が提案されている。
【０００７】
また、特許文献４では、裏紙を利用して印刷する際に、印刷される面に印刷が行われていないかを検知し、印刷される面に印刷が行われていないことを検知した場合のみ、裏紙を給紙してあらかじめ指定された文字や記号等の付加情報を印刷し、さらにそれを反転して未印刷面に印刷を行う。
【先行技術文献】
【特許文献】
【０００８】
【特許文献１】特開２００５−２３１１０７号公報
【特許文献２】特開２００５−４７１２９号公報
【特許文献３】特開２００６−０４４０２８号公報
【特許文献４】特開２００６−１３０６７４号公報
【発明の概要】
【発明が解決しようとする課題】
【０００９】
このように、裏紙が利用された印刷では、裏紙の既印刷面のデータを隠蔽させる目的や、どちらがユーザが印刷させた印刷面かを分かり易くするために、裏紙の既印刷面に各種付加情報が印刷される処理が行われる。
【００１０】
しかし、自動両面印刷機構を備える装置で、裏紙に付加情報の印刷とユーザ指示の印刷ジョブの印刷との両面印刷を行わせる自動両面印刷処理をさせる場合には、装置内に、自動両面ユニットを装備できる構造や、未印字面と既印字面とを判断するセンサ機構を装備したりする必要があり、また、自動両面ユニットが装着されても使用される用紙のサイズや厚さや形状等により自動両面ユニットに利用できない用紙というものも存在する。
【００１１】
それで、この発明は、一度排紙されたあと手動で給紙トレイに戻された印刷結果物に再度印刷を行うことで両面印刷を行う手動両面印刷において、裏紙の既印刷面に付加情報が印刷されて裏紙の未印刷面に印刷ジョブのデータが印刷される画像形成装置を提供することを目的とする。
【課題を解決するための手段】
【００１２】
上記目的を達成する為に、請求項１の発明の画像形成装置は、印刷ジョブを受信する受信手段と、印刷される用紙を収納する給紙トレイと、給紙トレイに収容される用紙情報を管理する用紙情報管理手段と、前記管理手段により管理される用紙情報に基づき、前記印刷ジョブの印刷に係る給紙元トレイと収容される用紙種別を特定する特定手段と、前記特定手段により特定された用紙種別が両面印刷可能である用紙であって片面に既に情報が印刷された裏紙である場合、前記給紙元トレイから給紙した前記裏紙の既印刷面に付加情報を印刷しその裏面である未印刷面に前記印刷ジョブデータを印刷する裏紙両面印刷を実施し、前記用紙種別が両面印刷可能な裏紙でない場合、前記給紙元トレイから給紙した前記裏紙の未印刷面に前記受信手段で受信した印刷ジョブのデータを片面印刷する裏紙印刷制御手段と、前記裏紙印刷制御手段で印刷される前に既に情報が印刷されている前記裏紙の既印刷面に印刷される付加情報のデータを生成する付加情報生成手段と、前記裏紙印刷制御手段で片面印刷されて排紙された前記裏紙を、当該印刷による印刷面の裏面が次の印刷における印刷面となるように前記給紙トレイへの収納を受付けて、当該裏紙に前記付加情報生成手段によって生成された付加情報のデータを片面印刷するよう制御する裏紙情報付加印刷制御手段とを具備するように構成される。
【００１３】
また、請求項２の発明は、請求項１の発明において、前記裏紙情報付加印刷制御手段は、前記特定手段により特定された用紙種別が両面印刷可能な裏紙の場合、前記給紙元トレイから給紙した前記裏紙の既印刷面に付加情報を印刷しその裏面である未印刷面に前記印刷ジョブデータを印刷する裏紙両面印刷を実施し、前記用紙種別が両面印刷可能な裏紙でない場合、前記給紙元トレイから給紙した前記裏紙の既印刷面に前記付加情報生成手段によって生成された付加情報のデータを片面印刷するよう制御し、前記裏紙印刷制御手段は、前記裏紙情報付加印刷制御手段で片面印刷されて排紙された前記裏紙を、前記裏紙の未印刷面が次の印刷における印刷面となるように前記給紙トレイへの収納を受付けて、当該裏紙に前記受信手段で受信した印刷ジョブのデータを片面印刷するよう制御するように構成される。
【００１４】
また、請求項３の発明は、請求項２の発明において、前記裏紙情報付加印刷制御手段は、前記用紙種別が両面印刷可能な裏紙でない場合、前記受信手段で受信した印刷ジョブを消去し、当該印刷ジョブの送信元である送信端末に、前記送信端末が当該印刷ジョブの送信時に記憶していた当該印刷ジョブと同じ印刷ジョブを送信するよう要求する要求手段を備え、前記裏紙印刷制御手段は、前記要求手段に応じて前記送信端末から送信される印刷ジョブのデータを前記裏紙の未印刷面に片面印刷するよう制御するように構成される。
【００１５】
また、請求項４の発明は、請求項２の発明において、前記裏紙情報付加印刷制御手段は、前記用紙種別が両面印刷可能な裏紙でない場合、前記受信手段で受信した印刷ジョブを消去し、当該印刷ジョブの送信元である送信端末に、当該印刷ジョブの再送信を要求する再送信要求手段を備え、前記裏紙印刷制御手段は、前記再送信要求手段に応じて前記送信端末で再生成されて送信される印刷ジョブのデータを片面印刷するように構成される。
【００１６】
また、請求項５の発明の画像形成装置は、印刷ジョブを受信する受信手段と、印刷される用紙を収納する給紙トレイと、給紙トレイに収容される用紙情報を管理する用紙情報管理手段と、前記管理手段により管理される用紙情報に基づき、前記印刷ジョブの印刷に係る給紙元トレイと収容される用紙種別を特定する特定手段と、前記特定手段により特定された用紙種別が両面印刷可能である用紙であって片面に既に情報が印刷された裏紙である場合、前記給紙元トレイから給紙した前記裏紙の既印刷面に当該印刷ジョブの送信元から受信する付加情報を印刷しその裏面である未印刷面に前記印刷ジョブデータを印刷する裏紙両面印刷を実施し、前記用紙種別が両面印刷可能な裏紙でない場合、前記受信手段で受信した印刷ジョブを消去し、当該印刷ジョブの送信元である送信端末に、前記裏紙の既印刷面に印刷される付加情報のデータを要求する付加情報要求手段と、前記給紙元トレイから給紙した前記裏紙の既印刷面に前記付加情報要求手段に応じて該送信端末から送信される前記付加情報のデータを片面印刷する裏紙情報付加印刷制御手段と、該送信端末に、前記受信手段で受信した印刷ジョブの再送信を要求する再送信要求手段と、前記裏紙情報付加印刷制御手段で片面印刷されて排紙された前記裏紙を、前記裏紙の未印刷面が次の印刷における印刷面となるように前記給紙トレイへの収納を受付けて、当該裏紙に前記再送信要求手段に応じて前記送信端末で再生成されて送信される印刷ジョブのデータを片面印刷するよう制御する裏紙印刷制御手段とを具備するように構成される。
【００１７】
また、請求項６の発明の画像形成装置は、印刷ジョブを受信する受信手段と、印刷される用紙を収納する給紙トレイと、片面に既に情報が印刷されている裏紙の既印刷面に印刷される付加情報のデータを生成する付加情報生成手段と、前記給紙トレイに収容されている前記裏紙の未印刷面に、前記受信手段で受信した印刷ジョブのデータを印刷するジョブ印刷制御手段と、前記印刷ジョブ制御手段で印刷された前記裏紙が、当該印刷による印刷面の裏面が次の印刷における印刷面となるように前記給紙トレイへの収納を受付けて、当該裏紙に前記付加情報生成手段で生成された付加情報のデータが印刷開始指示の受付けに応じて印刷開始されるよう制御する付加情報印刷制御手段と、前記ジョブ印刷制御手段による印刷終了後、所定の時間が経過しても前記印刷開始指示を受付けなかった場合には、自装置を異常状態に移行させる異常状態移行手段とを具備するように構成される。
【００１８】
また、請求項７の発明は、請求項６の発明において、パスワードを記憶するパスワード記憶手段と、前記異常状態移行手段により異常状態に移行した場合に、前記パスワード入力を受付けるパスワード受付手段と、前記パスワード受付手段で受付けたパスワードが、前記パスワード記憶手段で記憶するパスワードと一致する場合に、前記異常状態移行手段により移行した前記異常状態から自装置を復旧させる復旧手段と更に具備するように構成される。
【００１９】
また、請求項８の発明は、請求項６または７の発明において、前記異常状態移行手段により自装置が異常状態に移行している場合、或いは、前記ジョブ印刷制御手段による印刷終了後に前記印刷開始指示を受付けていない場合に、自装置の電源オフを受付けると、エラー情報を不揮発性記憶手段に記憶してから自装置の電源をオフにするよう制御する電源オフ制御手段を更に具備するように構成される。
【００２０】
また、請求項９の発明は、請求項８の発明において、自装置に電源が投入された後、前記不揮発性記憶手段に前記エラー情報が記憶されている場合には、自装置を異常状態に移行させるよう制御する電源投入制御手段を更に具備するように構成される。
【００２１】
また、請求項１０の発明の画像形成装置は、印刷指示した操作者の識別情報が付与された印刷ジョブを受信する受信手段と、印刷される用紙を収納する給紙トレイと、片面に既に情報が印刷されている用紙である裏紙を使用した印刷に際して前記裏紙の既印刷面に付加情報を印刷すべきと設定されている操作者のリストを記憶する操作者リスト記憶手段と、前記裏紙の既印刷面に印刷される付加情報のデータを生成する付加情報生成手段と、前記給紙トレイから給紙した前記裏紙の未印刷面に前記受信手段で受信した印刷ジョブのデータを片面印刷する裏紙印刷制御手段と、前記裏紙印刷制御手段で片面印刷されて排紙された前記裏紙を、当該印刷による印刷面の裏面が次の印刷における印刷面となるように前記給紙トレイへの収納を受付けて、当該裏紙に前記付加情報生成手段によって生成された付加情報のデータを印刷開始指示の受付けに応じて片面印刷開始するよう制御する裏紙情報付加印刷制御手段と、前記受信手段で受信した前記識別情報で特定される操作者が前記操作者リスト記憶手段で記憶される操作者であって、前記裏紙印刷制御手段による印刷終了後から所定の時間が経過しても前記裏紙情報付加印刷制御手段による印刷の印刷開始指示を受付けない場合には、前記受信手段で受信した前記識別情報で特定される操作者を不許可操作者として登録する登録手段とを備えるように構成される。
【００２２】
また、請求項１１の発明の画像形成装置は、印刷指示した操作者の識別情報が付与された印刷ジョブを受信する受信手段と、印刷される用紙を収納する給紙トレイと、片面に既に情報が印刷されている用紙である裏紙を使用した印刷に際して前記裏紙の既印刷面に付加情報を印刷すべきと設定されている操作者のリストを記憶する操作者リスト記憶手段と、前記裏紙の既印刷面に印刷される付加情報のデータを生成する付加情報生成手段と、前記給紙トレイから給紙した前記裏紙の既印刷面に前記付加情報生成手段で生成した付加情報のデータを片面印刷する裏紙情報付加印刷制御手段と、前記裏紙情報付加印刷制御手段で片面印刷されて排紙された前記裏紙を、当該裏紙の未印刷面が次の印刷における印刷面となるように前記給紙トレイへの収納を受付けて、当該裏紙に前記受信手段で受信した印刷ジョブのデータを印刷開始指示の受付けに応じて片面印刷開始するよう制御する裏紙印刷制御手段と、前記受信手段で受信した前記識別情報で特定される操作者が前記操作者リスト記憶手段で記憶される操作者であって、前記裏紙情報付加印刷制御手段による印刷終了後から所定の時間が経過しても前記裏紙印刷制御手段による印刷の印刷開始指示を受付けない場合には、前記受信手段で受信した前記識別情報で特定される操作者を不許可操作者として登録する登録手段とを備えるように構成される。
【００２３】
また、請求項１２の発明の画像形成装置は、印刷ジョブを受信する受信手段と、印刷される用紙を収納する給紙トレイと、片面に既に情報が印刷されている裏紙の既印刷面に印刷される付加情報のデータを生成する付加情報生成手段と、前記給紙トレイから給紙した前記裏紙の既印刷面に前記付加情報生成手段で生成した付加情報のデータを片面印刷する裏紙情報付加印刷制御手段と、前記裏紙情報付加印刷制御手段で印刷された前記裏紙に両面印刷済みの用紙が含まれていた場合には、前記給紙トレイから給紙する前記裏紙の既印刷面に前記付加情報生成手段で生成したデータを追加印刷させる印刷枚数を受付ける印刷枚数受付手段と、前記給紙元トレイから給紙した前記印刷枚数受付手段で受付けた印刷枚数の前記裏紙の既印刷面に前記付加情報生成手段で生成した付加情報のデータを追加片面印刷する裏紙情報付加追加印刷制御手段と、前記裏紙情報付加印刷制御手段と前記裏紙情報付加追加印刷制御手段とで印刷された前記裏紙を、当該裏紙の未印刷面が次の印刷における印刷面となるように前記給紙トレイへの収納を受付けて、当該裏紙に前記受信手段で受信した印刷ジョブのデータを片面印刷するよう制御する裏紙印刷制御手段とを具備するように構成される。
【００２４】
また、請求項１３の発明の画像形成装置は、印刷ジョブを受信する受信手段と、印刷される用紙を収納する給紙トレイと、片面に既に情報が印刷されている用紙である裏紙の既印刷面に印刷される付加情報のデータを生成する付加情報生成手段と、前記給紙トレイから給紙した前記裏紙の既印刷面に前記付加情報生成手段で生成した付加情報のデータを片面印刷する裏紙情報付加印刷制御手段と、前記裏紙情報付加印刷制御手段で印刷されて排紙された前記裏紙が、前記裏紙の未印刷面が次の印刷における印刷面となるように前記給紙トレイへの収納を受付けて、当該裏紙に前記受信手段で受信した印刷ジョブのデータを片面印刷するよう制御する裏紙印刷制御手段と、前記裏紙印刷制御手段による片面印刷の最中に、前記裏紙情報付加印刷制御手段で印刷されて前記給紙トレイに収納された前記裏紙の未印刷面に当該印刷ジョブのデータが印刷されない印刷不具合が発生した場合には、当該印刷されなかった枚数の前記給紙トレイから給紙した前記裏紙の既印刷面に前記付加情報生成手段で生成した付加情報のデータを追加片面印刷する裏紙情報付加追加印刷制御手段と、前記裏紙情報付加追加印刷制御手段で追加印刷されて排紙された前記裏紙を、前記裏紙の未印刷面が次の印刷における印刷面となるように前記給紙トレイへの収納を受付けて、前記印刷不具合により印刷されずに残った当該印刷ジョブのデータを収納された当該裏紙に追加片面印刷するよう制御する裏紙追加印刷制御手段とを具備するように構成される。
【発明の効果】
【００２５】
請求項１の発明によれば、両面印刷機構を使用する自動両面印刷を利用できない裏紙に対しても、既印刷面に付加情報を印刷して未印刷面に印刷ジョブの印刷をする両面印刷が行われるという効果を奏する。
【００２６】
請求項２の発明によれば、裏紙を使用した印刷で、未印刷面への印刷ジョブの印刷より先に既印刷面への付加情報の印刷が行われるという効果を奏する。
【００２７】
請求項３の発明によれば、印刷ジョブを蓄積する機構なしに、裏紙を使用した印刷で、未印刷面への印刷ジョブの印刷より先に既印刷面への付加情報の印刷が行われるという効果を奏する。
【００２８】
請求項４の発明によれば、印刷ジョブを蓄積する機構なしに、裏紙を使用した印刷で、未印刷面への印刷ジョブの印刷より先に既印刷面への付加情報の印刷が行われるという効果を奏する。
【００２９】
請求項５の発明によれば、付加情報を生成する機構と印刷ジョブを蓄積する機構なしに、裏紙を使用した印刷で、未印刷面への印刷ジョブの印刷より先に既印刷面への付加情報の印刷が行われるという効果を奏する。
【００３０】
請求項６の発明によれば、裏紙を使用する印刷において、印刷ジョブの印刷が未印刷面に行われた後に付加情報の印刷が行われないと、自装置の状態を異常状態に移行させることができるという効果を奏する。
【００３１】
請求項７の発明によれば、異常状態に移行した自装置の状態がパスワード認証により復旧されるという効果を奏する。
【００３２】
請求項８の発明によれば、自装置の状態が異常状態から電源オフがされても、異常状態であることが自装置に記憶されるという効果を奏する。
【００３３】
請求項９の発明によれば、電源がオフされる前に異常状態であった場合には、電源オフから電源オンされた後に、自装置の状態が異常状態に移行されるという効果を奏する。
【００３４】
請求項１０の発明によれば、裏紙を使用した印刷で、裏紙の既印刷面に付加情報を印刷させない操作者を不許可操作者として登録することができるという効果を奏する。
【００３５】
請求項１１の発明によれば、裏紙を使用した印刷で、所定の処理を行わない操作者を不許可操作者として登録することができるという効果を奏する。
【００３６】
請求項１２の発明によれば、裏紙を使った印刷において、裏紙の中に両面印刷済みの用紙が混入していた場合に対応して、既印刷面に付加情報を印刷して未印刷面に印刷ジョブの印刷が行われるという効果を奏する。
【００３７】
請求項１３の発明によれば、裏紙を使った印刷において、裏紙の未印刷面への印刷ジョブの印刷中に印刷不具合が発生しても、既印刷面に付加情報が印刷された裏紙が追加印刷により生成されるという効果を奏する。
【００３８】
完成次第、記述します。
【図面の簡単な説明】
【００３９】
【図１】印刷システム１の機能的構成を示した模式図。（実施例１）
【図２】裏紙の既印刷面に付加情報が印刷される様子を示す模式図。（実施例１）
【図３】画像形成装置１００での処理を示したフローチャート。（実施例１）
【図４】印刷システム２の機能的構成を示す模式図。（実施例２）
【図５】画像形成装置２００での処理を示したフローチャート。（実施例２）
【図６】印刷システム３の機能的構成を示す模式図。（実施例３）
【図７】送信端末３５０での処理を示したフローチャート。（実施例３）
【図８】画像形成装置３００での処理を示したフローチャート。（実施例３）
【図９】印刷システム４の機能的構成を示す模式図。（実施例４）
【図１０】送信端末１５０での処理を示すフローチャート。（実施例４）
【図１１】画像形成装置３００での処理を示すフローチャート。（実施例４）
【図１２】印刷システム５の機能的構成を示す模式図。（実施例５）
【図１３】送信端末５５０での処理を示すフローチャート。（実施例５）
【図１４】画像形成装置５００での処理を示すフローチャート。（実施例５）
【図１５】印刷システム６の機能的構成を示す模式図（実施例６）
【図１６】画像形成装置６００での処理を示すフローチャート。（実施例６）
【図１７】印刷システム７の機能的構成を示す模式図。（実施例７）
【図１８】画像形成装置７００での処理を示すフローチャート。（実施例７）
【図１９】印刷システム８の機能的構成を示す模式図。（実施例８）
【図２０】画像形成装置８００の電源がオフされる処理を示すフローチャート。（実施例８）
【図２１】画像形成装置８００の電源がオンされる処理を示すフローチャート。（実施例８）
【図２２】印刷システム９の機能的構成を示す模式図。（実施例９）
【図２３】画像形成装置９００での処理を示すフローチャート。（実施例９）
【図２４】画像形成装置９００での処理を示すフローチャート。（実施例９）
【図２５】印刷システム１０の機能的構成を示す模式図（実施例１０）
【図２６】ジョブ情報について示した模式図（実施例１０）
【図２７】付加情報のパターン名の設定を示す模式図。（実施例１０）
【図２８】画像形成装置１０００での処理を示すフローチャート。（実施例１０）
【図２９】取り除かれる用紙を示す模式図（実施例１０）
【図３０】取り除いた用紙枚数が入力される様子等の模式図（実施例１０）
【図３１】印刷システム１１の機能的構成を示す模式図。（実施例１１）
【図３２】付加情報が印刷される処理を示すフローチャート（実施例１１）
【図３３】画像形成装置１１００での処理を示すフローチャート（実施例１１）
【図３４】給紙トレイが複数ある画像形成装置１１００での処理を示すフローチャート。（実施例１１）
【発明を実施するための形態】
【００４０】
以下、本発明の実施例について添付図面を参照して詳細に説明する。
【実施例１】
【００４１】
まず、印刷システム１について図１を参照して説明を行う。
【００４２】
図１は、印刷システム１の機能的構成を示した模式図である。
【００４３】
印刷システム１は、図１に示すように、画像形成装置１００と送信端末１５０とが通信可能に接続されている。
【００４４】
画像形成装置１００との送信端末１５０との接続はローカル接続、ネットワーク接続のいずれの形態であってもよい。
【００４５】
そして、画像形成装置１００は、入力ポート１０１、印刷データ処理部１０２、印刷方法判定部１０３、トレイ情報記憶部１０４、印刷部１０５、制御部１０６、ユーザインタフェース（以下、図面と共にユーザＩ／Ｆと記す）部１０７、ＲＡＭ（Random Access Mwmoey）１１０、ＲＯＭ（Read Only Memory）１１１を有する。
【００４６】
入力ポート１０１は、送信端末１５０から送られる印刷ジョブ等のデータを受信する。
【００４７】
印刷データ処理部１０２は、印刷部１０５で印刷されるビットマップ画像を生成する処理を行い、印刷データ処理部１０２は、更に、画像生成部１０８と、付加情報データ生成部１０９とを有する。
【００４８】
画像生成部１０８は、受信した印刷ジョブのＰＤＬ（Page Description Language）言語を解析して印刷部１０５で印刷されるビットマップ画像を生成する。
【００４９】
また、付加情報データ生成部１０９は、裏紙の既印刷面に付加情報を印刷する際の付加情報データを生成し、その付加情報データのビットマップ画像を生成する。
【００５０】
印刷方法判定部１０３は、トレイ情報記憶部１０４に記憶される印刷予定トレイの用紙情報を取得し、それを元に片面印刷を実施するか、両面印刷を実施するか、裏紙であった場合に自動両面印刷機構を利用して裏紙の既印刷面に付加情報を印刷するか、それとも手動両面印刷を行って裏紙の既印刷面に付加情報を印刷するかを決定し、制御部１０６に指示を出す。
【００５１】
裏紙とは、一度片面印刷が行われた印刷結果であり、片面には情報が印刷された既印刷面となって、他方の面は情報が印刷されてない未印刷面となっている用紙である。
【００５２】
トレイ情報記憶部１０４は、画像形成装置１００の不図示の用紙を収納する給紙トレイに収納される用紙についての情報である用紙情報を記憶する。
【００５３】
用紙情報は、不図示の給紙トレイに収納される用紙のサイズ、紙質（裏紙若しくは未印刷用紙の区別）、形状、厚さなどである。
【００５４】
印刷部１０５は、用紙に画像を形成する印刷実行機構を備えて、印刷を実行する。
【００５５】
印刷部１０５は、基本的には片面印刷を行うが、両面印刷ユニットが画像形成装置１００に装着されることにより自動両面印刷を可能にする。
【００５６】
印刷部１０５で手動両面印刷が行われる際には、片面印刷機構で印刷されて不図示の排紙トレイに排出された印刷結果が、操作者の手動により不図示の給紙トレイに印刷面が考慮されて収納され、再度片面印刷機構で印刷されることにより両面が印刷される。
【００５７】
制御部１０６は、画像形成装置１００を統括的に制御し、受信した印刷ジョブを印刷方法判定部１０３で決定された印刷方法により印刷させる制御などを行う。
【００５８】
ユーザＩ／Ｆ部１０７は、液晶のタッチパネルで構成されるユーザインタフェースであり、操作者に情報を表示し、操作者から指示を受け付ける。
【００５９】
ＲＡＭ１１０は、装置を制御するシステムデータなどの各種データを記憶するワークエリアの機能を司る。
【００６０】
ＲＯＭ１１１は、画像形成装置１００を動作させるファームウェアなどが記憶される。
【００６１】
このように構成される画像形成装置１００は、送信端末１５０から送信される印刷ジョブを受信し、印刷方法判定部１０３で決定された印刷方法で印刷を行う。
【００６２】
画像形成装置１００には、不図示の給紙トレイに裏紙が収納されることがあり、裏紙が収納された場合には、ユーザＩ／Ｆ部１０７からの入力によりトレイ情報記憶部１０４にその給紙トレイの用紙情報として紙質が裏紙であると記憶される。
【００６３】
そして、印刷ジョブの印刷が印刷方法決定部１０３で手動両面印刷を行って裏紙の既印刷面に付加情報を印刷すると印刷方法が決定されると、印刷ジョブを裏紙の未印刷面に印刷してその裏紙の既に別の情報が印刷されていた面に付加情報を印刷する処理が手動を交えて行われる。
【００６４】
裏紙の既印刷面に印刷される付加情報は、既印刷面の情報が漏洩しないように既印刷面を隠す目的の付加情報や、既印刷面と操作者が指示した印刷ジョブの印刷面との区別をつけるための印刷済みマークをつける付加情報がある。
【００６５】
また、裏紙を使用して印刷ジョブが印刷されると、図２（ａ）に示すように裏面に既に情報が印刷された（参照番号２０１）裏紙の表面に印刷ジョブのデータが印刷される。
【００６６】
そして、裏紙を使用して印刷ジョブの印刷が行われた印刷結果を、裏紙の既印刷面（操作者が印刷ジョブの印刷を指示する前に既に裏紙として情報が印刷されていた面）に付加情報印刷する処理が行われると、図２（ｂ）に示すように、印刷済みのマークが既印刷面に印刷される（参照番号２０２）。
【００６７】
ここで、送信端末１５０について説明すると、送信端末１５０は、印刷ジョブを生成して画像形成装置１００に送るパーソナルコンピュータであり、通信Ｉ／Ｆ部１５１、入力部１５２、制御部１５３、表示部１５４、記憶部１５５、プリンタドライバ１５６を備える。
【００６８】
通信Ｉ／Ｆ部１５１は、生成した印刷ジョブを画像形成装置１００に送信するインタフェースである。
【００６９】
通信Ｉ／Ｆ部１５１は、送信端末１５０、画像形成装置１００とを接続するローカルの通信回線或いはネットワーク通信回線と接続される。
【００７０】
入力部１５２は、キーボードやマウスで構成され、送信端末１５０の操作者の指示を受け付ける。
【００７１】
制御部１５３は、ＣＰＵ（Central Processing Unit）で構成され、送信端末１５０を統括的に制御する。
【００７２】
表示部１５４は、ディスプレイで構成され、制御部１５３で演算処理した結果やプリンタドライバ１５６での操作状況等を、通信端末１５０の操作者に表示する。
【００７３】
記憶部１５５は、送信端末１５０を動作させるＯＳ（Operation System）のソフトウェアや文書編集ソフトウェアやプリンタドライバ１５６のソフトウェア等を記憶する。
【００７４】
プリンタドライバ１５６は、記憶部１５５に記憶される文書編集ソフトウェアにより作成された原稿などを画像形成装置１００で印刷可能にする印刷ジョブを生成する処理を行う。
【００７５】
印刷ジョブが生成される際には、送信端末１５０の操作者の指示によりプリンタドライバ１５６の不図示の給紙トレイの指定も可能で、その給紙トレイの指定により、裏紙が収納された給紙トレイが指定されて裏紙印刷が指定される場合がある。
【００７６】
次に、送信端末１５０から送信された印刷ジョブが画像形成装置１００で印刷される処理について図３を参照して説明を行う。
【００７７】
図３は、画像形成装置１００で行われる処理について示したフローチャートである。
【００７８】
画像形成装置１００では、まず、図３に示すように、送信端末１５０から送信された印刷ジョブを受信する（Ｓ３０１）。
【００７９】
制御部１０６は、受信した印刷ジョブの印刷に使用される給紙トレイを決定する（Ｓ３０２）。
【００８０】
印刷に使用される給紙トレイの決定は、受信した印刷ジョブで指定された給紙トレイとすることもできるし、また、印刷ジョブでの給紙トレイの指定がない場合には、画像形成装置１００で図示しない複数の給紙トレイに優先順位が設けられてその優先順位に従って決定されるようにすることもできる。
【００８１】
受信した印刷ジョブの印刷に使用される給紙トレイが決まると、制御部１０６は印刷方法判定部１０３に印刷方法の判定を要求する。
【００８２】
印刷方法判定部１０３は、使用される給紙トレイの用紙情報をトレイ情報記憶部１０４より読み出して、使用される給紙トレイに収納される用紙が裏紙か否かをその用紙情報に基づき判断する（Ｓ３０３）。
【００８３】
Ｓ３０３での判断の結果、使用される給紙トレイに収納される用紙が裏紙でない場合には（Ｓ３０３でＮＯ）、決定された給紙トレイには未印刷用紙が収納されており、印刷方法判定部１０３は、印刷方法を印刷ジョブで指定された内容（片面或いは両面）の印刷をするように決定する。
【００８４】
そして、その給紙トレイに収納される未印刷用紙が使用されて印刷ジョブの印刷が実施される（Ｓ３０４）。
【００８５】
また、Ｓ３０３での判断の結果、使用される給紙トレイに収納される用紙が裏紙である場合には（Ｓ３０３でＹＥＳ）、両面印刷ユニットが装着されていない等で、自動両面印刷機構が無いかあるかが印刷方法判定部１０３より判断される（Ｓ３０５）。
【００８６】
自動両面印刷機構がある場合には（Ｓ３０５で有）、使用される給紙トレイに収納される用紙で自動両面印刷が可能であるか否かがトレイ情報記憶部１０４に記憶される用紙情報に基づいて印刷方法判定部１０３より判断される（Ｓ３０６）。
【００８７】
用紙のサイズが小さすぎたり大きすぎたり、また厚さが厚すぎるなど、自動両面印刷に適さない用紙もある。
【００８８】
両面印刷ユニットが装着されていない等で自動両面印刷機構が存在しない場合や（Ｓ３０５で無）、使用される給紙トレイに収納される用紙が自動両面印刷不可能な用紙である場合（Ｓ３０５で有、Ｓ３０６でＮＯ）には、印刷方法判定部１０３は、印刷方法を、裏紙を使用した手動両面印刷と決定する。
【００８９】
尚、自動両面印刷機構が存在して（Ｓ３０５で有）、使用される給紙トレイに収納される用紙が自動両面印刷可能な用紙である場合（Ｓ３０６でＹＥＳ）には、印刷方法判定部１０３は、印刷方法を裏紙を使用した自動両面印刷と決定する。
【００９０】
まず、手動両面印刷と決定された場合について処理を説明する。
【００９１】
印刷方法が手動両面印刷と決定されると、まず、受信した印刷ジョブのデータがＳ３０２で決定された給紙トレイに収納される裏紙が使用されて印刷される（Ｓ３０７）。
【００９２】
印刷用に給紙トレイに収納されている裏紙は、未印刷面が印刷面となるように用紙の向きに注意されて収納されている。
【００９３】
そこで、印刷ジョブが裏紙で印刷されると、用紙の片面に印刷ジョブのデータが印刷され、その裏は既に他の情報が印刷された既印刷面となっている。
【００９４】
Ｓ３０７で裏紙が使用されて印刷ジョブのデータの印刷が終了すると、印刷された印刷枚数がＲＡＭ１１０に記憶され（Ｓ３０８）、ユーザＩ／Ｆ部１０７より操作者に排出された印刷結果を再度給紙トレイに収納するように要求する表示がなされる（Ｓ３０９）。
【００９５】
操作者は、印刷結果の印刷ジョブが印刷された面の裏側の面で既印刷面となっている面が付加情報が印刷される面となるように、用紙の向きを注意して給紙トレイに印刷結果を収納する。
【００９６】
例えば、給紙トレイに収納される用紙の印刷面が鉛直方向下向きとなるような給紙トレイであるならば、印刷結果の印刷ジョブが印刷された裏側の既印刷面となっている面に付加情報が印刷されるように、印刷ジョブが印刷された面の裏側の面が鉛直方向下向きになるように印刷結果が収納される。
【００９７】
操作者により印刷結果が収納されると、操作者はユーザＩ／Ｆ部より付加情報印刷を指示する。
【００９８】
そして、付加情報データ生成部１０９は印刷する付加情報を生成し（Ｓ３１０）、印刷部１０５は、ＲＡＭ１１０に記憶した印刷枚数の分だけ、付加情報を印刷するように操作者により印刷結果が収納された給紙トレイの用紙を使用して、付加情報の印刷を実行する（Ｓ３１１）。
【００９９】
このようにして付加情報が印刷されると、図２（ｂ）に示すように、印刷ジョブが印刷された面の裏側の面に、他の情報に重ねて付加情報が印刷された印刷結果が出来上がる。
【０１００】
このように、両面印刷機構が存在しない場合にでも、手動両面印刷により、裏紙を使用した印刷ジョブの印刷が行われ、そして、印刷ジョブが印刷された裏側の面に付加情報が印刷された印刷結果が生成される。
【０１０１】
次に、Ｓ３０６の結果、印刷方法が自動両面印刷と決定された場合について説明する。  印刷方法が自動両面印刷と決定されると、付加情報データ生成部１０９で裏紙の既印刷面に印刷される付加情報が生成される。
【０１０２】
そして、裏紙の未印刷面に印刷ジョブのデータが印刷され、裏紙の既印刷面に付加情報が印刷されるように、印刷ジョブのビットマップ画像のページの間に付加情報のビットマップ画像のページが挿入され、そうして出来たデータが自動両面印刷される（Ｓ３１２）。
【実施例２】
【０１０３】
第２実施例では、第１実施例で説明した画像形成装置１００に画像データ蓄積部２０１が更に備えられた画像形成装置２００について説明を行う。
【０１０４】
尚、第１実施例で説明した装置や構成部と同じ機能と構成とを有する装置や構成部には同じ参照番号を付すため、その構成部や装置の説明については、同じ機能や構成の説明はなるべく省略し異なる機能について説明を行う。
【０１０５】
まず、画像形成装置２００を含む印刷システム２について図４を参照して説明を行う。
【０１０６】
図４は、印刷システム２の機能的構成を示す模式図である。
【０１０７】
印刷システム２は、送信端末１５０と画像形成装置２００を備え、送信端末１５０と画像形成装置２００とはローカル接続或いはネットワーク接続などによって通信可能に接続されている。
【０１０８】
画像形成装置２００は、第１実施例で説明した画像形成装置１００が備える各構成部（入力ポート１０１、印刷データ処理部１０２、印刷方法判定部１０３、トレイ情報記憶部１０４、印刷部１０５、制御部１０６、ユーザＩ／Ｆ部１０７、画像生成部１０８、付加情報データ生成部１０９、ＲＡＭ１１０、ＲＯＭ１１１）に加えて、更に、画像データ蓄積部２０１を備える。
【０１０９】
画像データ蓄積部２０１は、印刷ジョブを一時記憶する記憶装置である。
【０１１０】
そして、送信端末１５０のプリンタドライバ１５６は、第２実施例では、画像形成装置２００で印刷可能な印刷ジョブを生成する。
【０１１１】
尚、画像形成装置２００では不図示の給紙トレイに裏紙が収納される場合には、裏紙の既印刷面が印刷面となる向きで予め収納されている。
【０１１２】
このように構成される画像形成装置２００では、裏紙を使った手動両面印刷が行われる際に、印刷の順番が、第１実施例で説明した画像形成装置１００のように印刷ジョブの印刷が行われた後に付加情報の印刷が行われるのではなくて、先に付加情報の印刷が行われてその後印刷ジョブの印刷が行われる。
【０１１３】
次に、送信端末１５０から印刷ジョブを受信した画像形成装置２００が行う処理について図５を参照して説明を行う。
【０１１４】
図５は、送信端末１５０から送られる印刷ジョブを受信した画像形成装置２００で行われる処理を示したフローチャートである。
【０１１５】
第１実施例で図３を参照して説明した処理と同様の処理については同じ参照番号（Ｓ〜）を付して簡単に説明する。
【０１１６】
印刷ジョブを受信した画像形成装置２００では、印刷ジョブで印刷される用紙の枚数が制御部１０６により確認されＲＡＭ１１０に記憶される。
【０１１７】
そして、第１実施例で図３を参照して説明したように、印刷に使用される給紙トレイが決定され（Ｓ３０２）、印刷方法決定部１０３によって未印刷用紙が使用された印刷とするか（Ｓ３０４で実施される）、裏紙を使った自動両面印刷とするか（Ｓ３１２で実施される）、裏紙を使った手動両面印刷とするかが決定される。
【０１１８】
未印刷用紙が使用された印刷と、裏紙を使った自動両面印刷とは、第１実施例で図３を参照して説明した内容と同じであるので、ここでは裏紙を使った手動両面印刷について説明する。
【０１１９】
第１実施例と同じように、画像形成装置２００に両面印刷ユニットが装着されていない等で自動両面印刷機構が存在しない場合や（Ｓ３０５で無）、使用される給紙トレイに収納される用紙が自動両面印刷不可能な用紙である場合（Ｓ３０５で有、Ｓ３０６でＮＯ）には、印刷方法判定部１０３は、印刷方法を、裏紙を使用した手動両面印刷と決定する。
【０１２０】
印刷方法が手動両面印刷と決定されると、まず、受信した印刷ジョブが画像データ蓄積部２０１に退避される（Ｓ４０７）。
【０１２１】
そして、付加情報データ生成部１０９で付加情報のビットマップ画像が生成され、ＲＡＭ１１０に記憶された印刷枚数だけ、使用される給紙トレイから裏紙の既印刷面に付加情報を印刷することが行われる（Ｓ４０８）。
【０１２２】
この場合（Ｓ４０８の）の印刷は片面印刷であり、裏紙の既印刷面に付加情報が印刷されて、裏紙の未印刷面には何も印刷されない。
【０１２３】
付加情報の印刷が終了すると、ユーザＩ／Ｆ部１０７は、印刷された印刷結果を未印刷面が次に印刷される印刷面となるように給紙トレイに収納する要求を操作者に表示する（Ｓ４０９）。
【０１２４】
操作者は、印刷結果の未印刷面が印刷面となるように、印刷結果を給紙トレイに収納する。
【０１２５】
そして、操作者がユーザＩ／Ｆ部１０７より印刷指示を入力すると、制御部１０６は、画像データ蓄積部２０１に退避させている印刷ジョブ読み出して、画像生成部１０８で印刷ジョブの画像データを生成させる（Ｓ４１０）。
【０１２６】
そして、先ほど操作者により給紙トレイに収納された印刷結果が、印刷ジョブの印刷用紙として使用されて、その印刷結果の未印刷面に印刷ジョブが片面印刷される（Ｓ４１１）。
【０１２７】
そうして、印刷ジョブの印刷が行われると、印刷ジョブが印刷された面の裏側の面に、他の情報に重ねて付加情報が印刷された印刷結果が出来上がる。
【０１２８】
このように、第１実施例とは異なり、画像形成装置２００では、裏紙の既印刷面に最初に付加情報が印刷された後にその印刷結果で印刷ジョブの印刷が行われるので、最初に印刷が行われた時点で裏紙の既印刷面に付加情報が印刷された状態となる。
【０１２９】
それで、第１実施例における裏紙を使った手動両面印刷において印刷ジョブの印刷を先に行ってから用紙をセットするまでの間に裏紙の既印刷面に印刷された情報が人目にさらされる問題点が、第２実施例の画像形成装置２００では解消される。
【０１３０】
尚、画像データ蓄積部２０１に退避記憶させる印刷ジョブのデータは、画像生成部１０８によって生成された印刷ジョブのビットマップ画像であってもよい。その際には、Ｓ４１０で行われる印刷ジョブが読み出されてビットマップ画像が生成される処理は、画像データ蓄積部２１０で蓄積されるビットマップ画像が読み出される。
【実施例３】
【０１３１】
印刷システム３について図６を参照して説明を行う。
【０１３２】
図６は、印刷システム３の機能的構成を示す模式図である。
【０１３３】
印刷システム３は、図６に示すように、画像形成装置３００と送信端末３５０とが通信可能に接続されて構成される。
【０１３４】
画像形成装置３００と送信端末３５０とは、ネットワーク接続或いは双方向に通信可能なローカル接続の通信回線によって接続される。
【０１３５】
尚、第３実施例では、第１実施例で説明した構成部と同じ機能、構成を有する構成部には同じ参照番号を付して説明する為、その構成部についての同じ内容の説明はなるべく省略し異なる機能についての説明を行う。
【０１３６】
画像形成装置３００は、第１実施例で説明した画像形成装置１００が備える入力ポート１０１の代わりに双方向通信ポート３０１を備え、第１実施例で説明した画像形成装置１００が備える他の構成部（印刷データ処理部１０２、印刷方法判定部１０３、トレイ情報記憶部１０４、印刷部１０５、制御部１０６、ユーザＩ／Ｆ部１０７、画像生成部１０８、付加情報データ生成部１０９、ＲＡＭ１１０、ＲＯＭ１１１）を備える。
【０１３７】
双方向通信ポート３０１は、画像形成装置３００と送信端末３５０とを通信可能に接続する通信回線に接続され、送信端末３５０から印刷ジョブ等のデータを受信するだけでなく、送信端末３５０に各種要求等のデータを送信することができる。
【０１３８】
尚、画像形成装置２００では不図示の給紙トレイに裏紙が収納される場合には、裏紙の既印刷面が印刷面と向きで予め収納されている。
【０１３９】
また、送信端末３５０は、第１実施例で説明した送信端末１５０が備える各構成部（通信Ｉ／Ｆ部１５１、入力部１５２、制御部１５３、表示部１５４、記憶部１５５、プリンタドライバ１５６）に加えて、更に、印刷データ蓄積部３５１を備える。
【０１４０】
送信端末３５０が有するプリンタドライバ１５６は、画像形成装置３００で印刷可能な印刷ジョブを生成する。
【０１４１】
印刷データ蓄積部３５１は、プリンタドライバ１５６で生成された印刷ジョブを一時記憶する記憶装置である。
【０１４２】
通信Ｉ／Ｆ部１５１は、画像形成装置３００と双方向に通信可能な通信インタフェースである。
【０１４３】
このように構成される印刷システム３では、送信端末３５０のプリンタドライバ１５６で印刷ジョブが生成されると、その印刷ジョブが画像形成装置３００に送信される処理と、印刷データ蓄積部３５１にその印刷ジョブが一時記憶される処理とが行われる。
【０１４４】
そして、画像形成装置３００で裏紙を使った手動両面印刷が行われる際に、送信端末３５０の印刷データ蓄積部３５１に記憶された印刷ジョブが画像形成装置３００に送られる処理が行われる。
【０１４５】
次に、送信端末３５０で行われる処理について図７を参照して説明を行う。
【０１４６】
図７は、送信端末３５０で行われる処理について示したフローチャートである。
【０１４７】
送信端末３５０では、送信端末３５０を操作する操作者の指示により、文書編集ソフトウェアにより作成された原稿などを画像形成装置３００で印刷する指示を受け付けられる（Ｓ７０１）。
【０１４８】
印刷指示を受け付けたプリンタドライバ１５６は、指示された内容の印刷ジョブを生成する（Ｓ７０２）。
【０１４９】
そして、制御部１５３は、プリンタドライバ１５６で生成された印刷ジョブを通信Ｉ／Ｆ部１５１より画像形成装置３００に送信する処理を行い、また、プリンタドライバ１５６で生成された印刷ジョブを印刷データ蓄積部３５１に記憶する処理を行う（Ｓ７０３）。
【０１５０】
制御部１５３は、印刷ジョブを画像形成装置３００に送信した後には、画像形成装置３００から印刷ジョブ再送信指示若しくは印刷終了通知が送られてくるのを待つ（Ｓ７０４でＮＯ、Ｓ７０６でＮＯ）。
【０１５１】
制御部１５３は、画像形成装置３００から送られてきた印刷ジョブ再送信指示を受信すると（Ｓ７０４でＹＥＳ）、印刷データ蓄積部３５１に記憶する印刷ジョブを画像形成装置３００に送信する（Ｓ７０５）。
【０１５２】
また、画像形成装置３００から送られてきた印刷終了通知を受信すると（Ｓ７０６でＹＥＳ）、制御部１５３は、印刷データ蓄積部３５１に記憶する印刷ジョブを消去するように処理を行う（Ｓ７０７）。
【０１５３】
次に、画像形成装置３００で行われる処理について図８を参照して説明を行う。
【０１５４】
図８は、画像形成装置３００で行われる処理について示したフローチャートである。
【０１５５】
第１実施例で図３を参照して説明した処理と同様の処理については同じ参照番号（Ｓ〜）を付して簡単に説明する。
【０１５６】
画像形成装置３００では、図８に示すように、送信端末３５０がＳ７０３の処理によって送信した印刷ジョブを受信すると（Ｓ３０１）、その印刷ジョブで印刷される用紙の枚数が制御部１０６により確認されＲＡＭ１１０に記憶される。
【０１５７】
そして、画像形成装置３００では、第１実施例で図３を参照して説明したように、印刷に使用される給紙トレイが決定され（Ｓ３０２）、印刷方法決定部１０３によって未印刷用紙が使用された印刷とするか（Ｓ３０４で実施される）、裏紙を使った自動両面印刷とするか（Ｓ３１２で実施される）、裏紙を使った手動両面印刷とするかが決定される。
【０１５８】
未印刷用紙が使用された印刷（Ｓ３０４）と裏紙を使った自動両面印刷（Ｓ３１２）とが行われた後には、（図８の結合子Ａを介して）、送信端末３５０に印刷終了通知が送信される（Ｓ８０７）。
【０１５９】
また、第１実施例と同じように、画像形成装置３００に両面印刷ユニットが装着されていない等で自動両面印刷機構が存在しない場合や（Ｓ３０５で無）、使用される給紙トレイに収納される用紙が自動両面印刷不可能な用紙である場合（Ｓ３０５で有、Ｓ３０６でＮＯ）には、印刷方法判定部１０３は、印刷方法を、裏紙を使用した手動両面印刷と決定する。
【０１６０】
印刷方法が手動両面印刷と決定されると、まず、印刷ジョブを受信した際にＲＡＭ１１０に記憶した印刷枚数の数だけ、使用される給紙トレイに収納される裏紙に対して、裏紙の既印刷面に付加情報を片面印刷する（Ｓ８０１）。
【０１６１】
そして、画像形成装置３００の制御部１０６は、受信した印刷ジョブを削除する（Ｓ８０２）。
【０１６２】
Ｓ８０１でＲＡＭ１１０に記憶された印刷枚数だけ裏紙が片面印刷されると、制御部１０６は、ユーザＩ／Ｆ部１０７を通じて、操作者に、既印刷面に付加情報が印刷された印刷結果を給紙トレイに収納するように要求する（Ｓ８０３）。  その際、操作者への要求は、印刷結果が収納される際に印刷結果の未印刷面が次に印刷される印刷面となる向きで収納するように要求される。
【０１６３】
操作者は、ユーザＩ／Ｆ部１０７で要求されたように、印刷結果の未印刷面が印刷面となるように印刷結果を給紙トレイに収納する。
【０１６４】
そして、操作者は、印刷ジョブの印刷指示をユーザＩ／Ｆ部１０７に入力する。
【０１６５】
ユーザＩ／Ｆ部１０７より印刷指示を受け付けた制御部１０６は、送信端末３５０に、Ｓ３０１で受信した印刷ジョブを再度画像形成装置３００に送信する内容の指示である、印刷ジョブ再送信指示を送信する（Ｓ８０４）。
【０１６６】
画像形成装置３００より印刷ジョブ再送信指示を受信した送信端末３５０は、図７を参照して説明したように印刷データ蓄積部３５１に記憶する印刷ジョブを画像形成装置３００に送信する（図７のＳ７０５）。
【０１６７】
画像形成装置３００は、送信端末３５０から再度送られた印刷ジョブを受信し（Ｓ８０５）、受信した印刷ジョブの印刷を、Ｓ８０３の要求に応じて操作者により収納された用紙（印刷結果）を用いて片面印刷する（Ｓ８０６）。
【０１６８】
そうして、印刷が終了すると、制御部１０６は、印刷終了通知を送信端末３５０に送信する（Ｓ８０７）。
【０１６９】
このようにして、裏紙の既印刷面に付加情報が印刷されて、その裏側には印刷ジョブのデータが印刷された印刷結果が出来上がる。
【実施例４】
【０１７０】
印刷システム４について図９を参照して説明を行う。
【０１７１】
図９は、印刷システム４の機能的構成を示す模式図である。
【０１７２】
尚、第４実施例では、第１実施例や第３実施例で説明した構成部や装置と同じ機能、構成を有する構成部や装置には同じ参照番号を付して説明する為、そうした構成部や装置についての同じ内容の説明はなるべく省略し異なる機能について説明を行う。
【０１７３】
印刷システム４は、第１実施例で説明した送信端末１５０と第３実施例で説明した画像形成装置３００とが通信可能に接続されて構成される。
【０１７４】
送信端末１５０と画像形成装置３００とは、ネットワーク接続或いは双方向に通信可能なローカル接続の通信回線によって接続される。
【０１７５】
画像形成装置３００は、第３実施例で説明したように、双方向通信ポート３０１、印刷データ処理部１０２、印刷方法判定部１０３、トレイ情報記憶部１０４、印刷部１０５、制御部１０６、ユーザＩ／Ｆ部１０７、ＲＡＭ１１０、ＲＯＭ１１１を有する。
【０１７６】
送信端末１５０は、第１実施例で説明したように、通信Ｉ／Ｆ部１５１、入力部１５２、制御部１５３、表示部１５４、記憶部１５５、プリンタドライバ１５６を備える。
【０１７７】
送信端末１５０のプリンタドライバ１５６は、画像形成装置３００で印刷可能な印刷ジョブを生成する。
【０１７８】
通信Ｉ／Ｆ部１５１は、画像形成装置３００と双方向に通信可能な通信インタフェースである。
【０１７９】
このような印刷システム４には、印刷ジョブを蓄える記憶装置が、送信端末３５０、画像形成装置３００のどちらにも存在しない。
【０１８０】
そして、印刷システム４では、画像形成装置３００で裏紙を利用した手動両面印刷が行われる場合、画像形成装置３００は受信した印刷ジョブのページ数に相当する裏紙を既印刷面に付加情報を印刷する処理を行い、受信した印刷ジョブが削除される。画像形成装置３００で、既印刷面に付加情報が印刷された用紙が出来上がると、送信端末１５０に再度印刷ジョブを生成して送信するよう依頼され、その用紙を使った印刷ジョブの印刷が行われる。
【０１８１】
次に、送信端末１５０で行われる処理について図１０を参照して説明を行う。
【０１８２】
図１０は、印刷システム４における送信端末１５０で行われる処理について示したフローチャートである。
【０１８３】
送信端末１５０では、送信端末３５０を操作する操作者からの指示により、文書編集ソフトウェアにより作成された原稿などを画像形成装置３００で印刷する指示が受け付けられる（Ｓ１００１）。
【０１８４】
印刷指示を受け付けたプリンタドライバ１５６は、指示された内容の印刷ジョブを生成して、印刷ジョブが出来次第、出来た印刷ジョブを画像形成装置３００に送信する処理を行う（Ｓ１００２）。
【０１８５】
制御部１５３は、画像形成装置３００から裏紙を使った手動両面印刷を実行する通知を受信した場合には（Ｓ１００３でＹＥＳ）、生成中の印刷ジョブを全て破棄して（Ｓ１００５）、画像形成装置３００から印刷ジョブ再送信指示が送られるのを待つ（Ｓ１００６でＮＯ）。
【０１８６】
そして、送信端末１５０の制御部１５３は、画像形成装置３００から印刷ジョブ再送信指示が送られると（Ｓ１００６でＹＥＳ）、プリンタドライバ１５６で印刷ジョブを再生成させて、生成させた印刷ジョブを画像形成装置３００に送信させる（Ｓ１００７）。
【０１８７】
また、制御部１５３は、画像形成装置３００から裏紙を使った手動両面印刷を実行する通知を受信しない場合には（Ｓ１００３でＮＯ）、画像形成装置３００から印刷終了通知が送られると（Ｓ１００４でＹＥＳ）処理が終了される。
【０１８８】
次に、印刷システム４における画像形成装置３００での処理について図１１を参照して説明を行う。
【０１８９】
図１１は、印刷システム４における画像形成装置３００で行われる処理について示したフローチャートである。
【０１９０】
第１実施例で図３を参照して説明した処理と同様の処理については同じ参照番号（Ｓ〜）を付して簡単に説明する。
【０１９１】
印刷システム４における画像形成装置３００では、図１１に示すように、送信端末１５０がＳ１００２の処理によって送信した印刷ジョブを受信すると（Ｓ３０１）、その印刷ジョブで印刷される用紙の枚数が制御部１０６により確認されＲＡＭ１１０に記憶される。
【０１９２】
そして、画像形成装置３００では、第１実施例で図３を参照して説明したように、印刷に使用される給紙トレイが決定され（Ｓ３０２）、印刷方法決定部１０３によって未印刷用紙が使用された印刷とするか（Ｓ３０４で実施される）、裏紙を使った自動両面印刷とするか（Ｓ３１２で実施される）、裏紙を使った手動両面印刷とするかが決定される。
【０１９３】
未印刷用紙が使用された印刷（Ｓ３０４）と裏紙を使った自動両面印刷（Ｓ３１２）とが行われた後には、（図１１の結合子Ｂを介して）、送信端末１５０に印刷終了通知が送信される（Ｓ１１０７）。
【０１９４】
また、第１実施例と同じように、画像形成装置３００に両面印刷ユニットが装着されていない等で自動両面印刷機構が存在しない場合や（Ｓ３０５で無）、使用される給紙トレイに収納される用紙が自動両面印刷不可能な用紙である場合（Ｓ３０５で有、Ｓ３０６でＮＯ）には、印刷方法判定部１０３は、印刷方法を、裏紙を使用した手動両面印刷と決定する。
【０１９５】
印刷方法が手動両面印刷と決定されると、まず、制御部１０６が、送信端末１５０に裏紙を使用した手動両面印刷を実行する通知を行う（Ｓ１１０１）。
【０１９６】
そして、制御部１０６は、受信した印刷ジョブを削除する。
【０１９７】
また、制御部１０６は、送信端末１５０への通知（Ｓ１１０１）と印刷ジョブの削除の処理と並行して、印刷ジョブを受信した際にＲＡＭ１１０に記憶した印刷枚数の数だけ、使用される給紙トレイに収納される裏紙に対して、裏紙の既印刷面に付加情報を片面印刷する処理を開始させる（Ｓ１１０２）。
【０１９８】
Ｓ１１０２でＲＡＭ１１０に記憶された印刷枚数だけ裏紙が片面印刷されると、制御部１０６は、ユーザＩ／Ｆ部１０７を通じて、操作者に、既印刷面に付加情報が印刷された印刷結果を給紙トレイに収納するように要求する（Ｓ１１０３）。  その際、操作者への要求は、印刷結果の未印刷面が次に印刷される印刷面となる向きで収納するように要求される。
【０１９９】
操作者は、ユーザＩ／Ｆ部１０７で要求されたように、印刷結果の未印刷面が印刷面となるように印刷結果を給紙トレイに収納する。
【０２００】
そして、操作者は、印刷ジョブの印刷指示をユーザＩ／Ｆ部１０７に入力する。
【０２０１】
ユーザＩ／Ｆ部１０７より印刷指示を受け付けた制御部１０６は、送信端末１５０に、Ｓ３０１で受信した印刷ジョブを再度画像形成装置３００に送る内容の指示である、印刷ジョブ再送信指示を送信する（Ｓ１１０４）。
【０２０２】
画像形成装置３００より印刷ジョブ再送信指示を受信した送信端末１５０は、図１０を参照して説明したようにプリントドライバ１５６で印刷ジョブを再度生成して画像形成装置３００に送信する（図１０のＳ１００７）。
【０２０３】
画像形成装置３００は、送信端末３５０から再度送られた印刷ジョブを受信し（Ｓ１１０５）、受信した印刷ジョブの印刷を、Ｓ１１０３の要求に応じて操作者により収納された用紙（印刷結果）を用いて片面印刷する（Ｓ１１０６）。
【０２０４】
そうして、印刷が終了すると、制御部１０６は、印刷終了通知を送信端末１５０に送信する（Ｓ１１０７）。
【０２０５】
このようにして、裏紙の既印刷面に付加情報が印刷されて、その裏側には印刷ジョブのデータが印刷された印刷結果が出来上がる。
【実施例５】
【０２０６】
印刷システム５について図１２を参照して説明を行う。
【０２０７】
図１２は、印刷システム５の機能的構成を示す模式図である。
【０２０８】
尚、第５実施例では、第１実施例や第３実施例で説明した構成部と同じ機能、構成を有する構成部には同じ参照番号を付して説明する為、そうした構成部や装置についての同じ内容の説明はなるべく省略し異なる機能について説明を行う。
【０２０９】
印刷システム５は、送信端末５５０と画像形成装置５００とが通信可能に接続されて構成される。
【０２１０】
送信端末５５０と画像形成装置５００とは、ネットワーク接続或いは双方向に通信可能なローカル接続の通信回線によって接続される。
【０２１１】
画像形成装置５００は、第１実施例で説明した印刷方法判定部１０３、トレイ情報記憶部１０４、印刷部１０５、制御部１０６、ユーザＩ／Ｆ部１０７、第３実施例で説明した双方向通信ポート３０１に加えて、更に、印刷データ処理部５０１を備える。
【０２１２】
印刷データ処理部５０１は、第１実施例で説明した印刷データ処理部１０２とは異なり、画像生成部１０８、付加情報データ生成部１０９を持たない。
【０２１３】
それで、画像形成装置５００の印刷データ処理部５０１は、印刷ジョブのＰＤＬ言語を解析してビットマップ画像を生成するような複雑な描画命令を伴う処理ができない。
【０２１４】
印刷データ処理部５０１は、送信端末５５０から送られてくるビットマップ画像のデータをビデオ信号に変換して印刷部３０５に送出して印刷させる処理を行う。
【０２１５】
このように画像形成装置５００は複雑な描画命令を持っていないラスター系の画像形成装置となる。
【０２１６】
送信端末５５０は、第１実施例で説明した通信Ｉ／Ｆ部１５１、入力部１５２、制御部１５３、表示部１５４、記憶部１５５に加えて、プリンタドライバ５５１を備える。
【０２１７】
通信Ｉ／Ｆ１５１は、画像形成装置５００と双方向に通信可能な通信インタフェースである。
【０２１８】
プリンタドライバ５５１は、ラスタ系の画像形成装置５００で印刷可能な印刷データを生成するプリンタドライバであり、印刷データ生成部５５２、付加情報データ生成部５５３を備える。
【０２１９】
印刷データ生成部５５２は、印刷指示された原稿が画像形成装置５００で印刷可能となるビットマップ画像データを生成する。
【０２２０】
また、付加情報データ生成部５５３は、画像形成装置５００で裏紙の既印刷面に印刷される付加情報のビットマップ画像を生成する。
【０２２１】
次に、送信端末５５０で行われる処理について図１３を参照して説明を行う。
【０２２２】
図１３は、送信端末５５０で行われる処理を示したフローチャートである。
【０２２３】
送信端末５５０では、送信端末５５０を操作する操作者からの指示により、文書編集ソフトウェアにより作成された原稿などを画像形成装置５５０で印刷する指示が受け付けられる（Ｓ１３０１）。
【０２２４】
すると、送信端末５５０のプリンタドライバ５５１で、印刷データ生成部５５２が指示された原稿の印刷用のビットマップ画像データを生成し、通信Ｉ／Ｆ部１５１から画像形成装置５００にそのビットマップ画像データが原稿用の印刷データとして送信される（Ｓ１３０２）。
【０２２５】
そして、送信端末５５０は、画像形成装置５００から、印刷終了通知か、裏紙を使った自動両面印刷を実施する通知か、裏紙を使った手動両面印刷を実施する通知を待つ（Ｓ１３０３でＮＯ、Ｓ１３０６でＮＯ、Ｓ１３１１でＮＯ）。
【０２２６】
送信端末５５０が画像形成装置５００から印刷終了通知を受信すると（Ｓ１３１１でＹＥＳ）、送信端末５５０での処理は終了される。
【０２２７】
また、送信端末５５０が画像形成装置５００から、裏紙を使った自動両面印刷を実施する通知を受信した場合には（Ｓ１３０３でＹＥＳ）、その通知には、裏紙の既印刷面に当たるページに付加情報データを挿入した印刷データを要求する内容が含まれる。
【０２２８】
そうすると、送信端末５５０では、プリンタドライバ５５１の印刷データ生成部５５２で再度印刷が指示された原稿の印刷用のビットマップ画像データが生成され、そして、付加情報データ生成部５５３で付加情報の印刷用のビットマップ画像データが原稿用のビットマップ画像データと同じページ数だけ生成され、プリンタドライバ５５１で、奇数ページ或いは偶数ページに付加情報用のビットマップ画像データが原稿用のビットマップ画像データに挿入されるように印刷データが生成されて、画像形成装置５００にプリンタドライバ５５１で生成された印刷データが送信される（Ｓ１３０４）。
【０２２９】
画像形成装置５００にＳ１３０４で生成した自動両面印刷用の印刷データを送信した送信端末５５０は、画像形成装置５００からの印刷終了通知を待ち（Ｓ１３０５）、印刷終了通知を受信すると、処理は終了される。
【０２３０】
また、送信端末５５０が画像形成装置５００から、裏紙を使った手動両面印刷を実施する通知を受信した場合には（Ｓ１３０６でＹＥＳ）、印刷データ生成部５５２で、印刷を指示された原稿の印刷データを生成中であるならば生成した印刷データを破棄してその生成を中止し、付加情報データ生成部５５３が、Ｓ１３０１で受け付けた原稿が印刷される印刷枚数の数だけ付加情報を印刷する印刷用のデータを生成する（Ｓ１３０８）。
【０２３１】
そして、付加情報データ生成部５５３で生成された印刷データは画像形成装置５００に送信される（Ｓ１３０８）。
【０２３２】
付加情報データ生成部５５３で生成された印刷データを送信した送信端末５５０は、画像形成装置５００から、印刷データ再送信指示を待つ（Ｓ１３０９でＮＯ）。
【０２３３】
画像形成装置５００から印刷データ再送信指示を受信すると、送信端末５５０は、Ｓ１３０１で受け付けた原稿用の印刷データを、印刷データ生成部５５２で再度生成し画像形成装置５００に送信する（Ｓ１３１０）。
【０２３４】
次に、画像形成装置５００で行われる処理について図１４を参照して説明を行う。
【０２３５】
図１４は、画像形成装置５００で行われる処理を示すフローチャートである。
【０２３６】
第１実施例で図３を参照して説明した処理と同様の処理については同じ参照番号（Ｓ〜）を付して簡単に説明する。
【０２３７】
印刷システム５における画像形成装置５００では、図１４に示すように、送信端末５５０がＡ１３０２の処理によって送信した原稿用の印刷データを受信する（Ｓ１４０１）。
【０２３８】
そして、画像形成装置５００では、第１実施例で図３を参照して説明したように、印刷に使用される給紙トレイが決定され（Ｓ３０２）、印刷方法決定部１０３によって未印刷用紙が使用された印刷とするか（Ｓ３０４で実施される）、裏紙を使った自動両面印刷とするか（Ｓ３１２で実施される）、裏紙を使った手動両面印刷とするかが決定される。
【０２３９】
印刷方法が未印刷用紙を使った印刷と決定された場合には（Ｓ３０３でＮＯ）、受信した印刷データが未印刷用紙が使用されて印刷が行われ（Ｓ３０４）、（図１４の結合子Ｃを介して）、印刷終了後に、印刷終了通知が送信端末５５０に送られる（Ｓ１４１１）。
【０２４０】
また、印刷方法が裏紙を使った自動両面印刷と決定された場合には（Ｓ３０５で有、Ｓ３０６でＮＯ）、画像形成装置５００の制御部１０６は、送信端末５５０に、裏紙を使った自動両面印刷を実施する通知を送るが、その通知には、印刷に使用される給紙トレイに収容される裏紙の既印刷面に当たるページに付加情報が印刷されるように、付加情報が原稿の印刷データの間に挿入された印刷データの要求が含まれている（Ｓ１４０２）。
【０２４１】
そして、自動両面印刷を実施する通知を送信端末５５０に送った画像形成装置５００は、送信端末５５０から印刷データが送られてくるのを待ち、送られてきた印刷データをＳ３０２で決定された給紙トレイに収納される裏紙を使用して自動両面印刷を行う（Ｓ１４０３）。
【０２４２】
自動両面印刷が終了すると、（図１４の結合子Ｃを介して）、制御部１０６は、送信端末５５０に印刷終了通知を送信する（Ｓ１４１１）。
【０２４３】
また、第１実施例と同じように、画像形成装置３００に両面印刷ユニットが装着されていない等で自動両面印刷機構が存在しない場合や（Ｓ３０５で無）、使用される給紙トレイに収納される用紙が自動両面印刷不可能な用紙である場合（Ｓ３０５で有、Ｓ３０６でＮＯ）には、印刷方法決定部１０３は、印刷方法を、裏紙を使用した手動両面印刷と決定する。
【０２４４】
印刷方法が裏紙を使った手動両面印刷と決定されると、まず、制御部１０６が、送信端末５５０に裏紙を使用した手動両面印刷を実行する通知を行って付加情報用の印刷データを要求する（Ｓ１４０４）。
【０２４５】
そして、制御部１０６は、受信した印刷データを削除する。
【０２４６】
手動両面印刷を実行する通知を送信端末５５０に送信した画像形成装置５００は、送信端末５５０から付加情報用の印刷データが送られるのを待つ。
【０２４７】
画像形成装置５００は、付加情報用の印刷データを受信すると（Ｓ１４０５）、印刷予定の給紙トレイに収納される裏紙を使用してその裏紙の既印刷面に付加情報を片面印刷する（Ｓ１４０６）。
【０２４８】
付加情報の印刷が終了すると、制御部１０６は、ユーザＩ／Ｆ部１０７を通じて、操作者に、既印刷面に付加情報が印刷された印刷結果を給紙トレイに収納するように要求する（Ｓ１４０７）。  その際、操作者への要求は、印刷結果の未印刷面が次に印刷される印刷面となる向きで収納するように要求される。
【０２４９】
操作者は、ユーザＩ／Ｆ部１０７で要求されたように、印刷結果の未印刷面が印刷面となるように印刷結果を給紙トレイに収納する。
【０２５０】
そして、操作者は、原稿用の印刷データを印刷させる印刷指示をユーザＩ／Ｆ部１０７に入力する。
【０２５１】
ユーザＩ／Ｆ部１０７より印刷指示を受け付けた制御部１０６は、送信端末５５０に、Ｓ３０１で受信した原稿用の印刷データを再度画像形成装置５００に送る内容の指示である、印刷データ再送信指示を送る（Ｓ１４０８）。
【０２５２】
画像形成装置５００より印刷ジョブ再送信指示を受信した送信端末５５０は、図１３を参照して説明したように印刷データ生成部５５２で生成した原稿用の印刷データを画像形成装置５００に送信する（図１３のＳ１３１０）。
【０２５３】
画像形成装置５００は、送信端末５５０から再度送られた印刷データを受信し（Ｓ１４０９）、受信した印刷データの印刷を、Ｓ１４０７の要求に応じて操作者により収納された用紙（印刷結果）を用いて片面印刷する（Ｓ１４１０）。
【０２５４】
そうして、印刷が終了すると、制御部１０６は、印刷終了通知を送信端末５５０に送信する（Ｓ１４１１）。
【０２５５】
このうようにして、裏紙の既印刷面に付加情報が印刷されて、その裏側には原稿の印刷データが印刷された印刷結果が出来上がる。
【実施例６】
【０２５６】
印刷システム６について図１５を参照して説明を行う。
【０２５７】
尚、第６実施例では、第１実施例で説明した構成部や装置と同じ機能、構成を有する構成部や装置には同じ参照番号を付して説明する為、そうした構成部や装置についての同じ内容の説明はなるべく省略し異なる機能について説明を行う。
【０２５８】
図１５は、印刷システム６の機能的構成を示す模式図である。
【０２５９】
印刷システム６は、図１５に示すように、送信端末１５０と画像形成装置６００とが通信可能に接続される。
【０２６０】
送信端末１５０と画像形成装置とは、ネットワーク接続或いは双方向に通信可能なローカル接続の通信回線によって接続される。
【０２６１】
画像形成装置６００は、通信Ｉ／Ｆ部６０１、制御部６０２、ＲＡＭ６０３、ＲＯＭ６０４、印刷データ処理部６０５、印刷部６０６、ユーザ情報管理部６０７、ユーザＩ／Ｆ部６０８、時間計測部６１４を備える。
【０２６２】
通信Ｉ／Ｆ部６０１は、画像形成装置６００と送信端末１５０とが接続される通信回線に接続され、送信端末１５０からの印刷ジョブを受信する。
【０２６３】
制御部６０２は、ＣＰＵで構成され、画像形成装置６００の統括的な制御を行う。
【０２６４】
制御部６０２はその機能として、手動両面制御部６０９、手動両面監視部６１０、エラー判定部６１１を有する。
【０２６５】
手動両面制御部６０９は、手動で行われる両面印刷、つまり、印刷出力された印刷結果が操作者の手動により給紙トレイに反転収納されて、その印刷結果の裏面に印刷を実行して行う両面印刷を制御する。
【０２６６】
手動両面監視部６１０は、手動両面印刷において、裏紙のどちらの面が印刷されているかを監視し、また、手動両面印刷における最初印刷によって印刷結果が出力された後に、その印刷結果の裏面へ印刷が開始されることを監視する。
【０２６７】
エラー判定部６１１は、手動両面印刷における最初の印刷終了後、手動両面監視部６１０によって印刷結果の裏面の印刷が所定の時間の間開始されない場合にエラー状態と判定する。
【０２６８】
ＲＡＭ６０３は、装置を制御するシステムデータなどの各種データを記憶するワークエリアの機能を司る。
【０２６９】
ＲＯＭ６０４は、画像形成装置６００を動作させるファームウェアなどが記憶される。  画像データ処理部６０５は、受信した印刷ジョブの処理等を行う。
【０２７０】
画像データ処理部６０５は、画像生成部６１２と付加情報データ生成部６１３とを有する。
【０２７１】
画像生成部６１２は、受信した印刷ジョブの解析を行って中間データを生成し、その中間データから印刷されるビットマップ画像を生成する。
【０２７２】
付加情報データ生成部６１３は、裏紙の既印刷面に付加情報を印刷する際の付加情報データを生成し、付加情報データのビットマップ画像を生成する。
【０２７３】
印刷部６０６は、用紙に画像形成を実行する印刷実行部である。
【０２７４】
ユーザ情報管理部６０７は、送信端末１５０から送られる印刷ジョブに付加されるユーザ情報（操作者を一意に識別できる情報）を記憶する。
【０２７５】
ユーザＩ／Ｆ部６０８は、液晶のタッチパネルで構成されるユーザインタフェースであり、操作者に情報を表示し、操作者から指示を受け付ける。
【０２７６】
時間計測部６１４は、時間を計測する機能を有し、画像形成装置６００では、裏紙の未印刷面に印刷ジョブのデータが印刷されることが終了した時点から時間を計測し始める。
【０２７７】
また、送信端末１５０は、第１実施例で説明したように、通信Ｉ／Ｆ部１５１、入力部１５２、制御部１５３、表示部１５４、記憶部１５５、プリンタドライバ１５６を有する。
【０２７８】
プリンタドライバ１５６は、操作者が指示する原稿を画像形成装置６００で印刷させる印刷ジョブを生成するプリンタドライバである。
【０２７９】
そして、プリンタドライバ１５６が生成する印刷ジョブには、送信端末１５０を操作して印刷ジョブ生成を指示する操作者を一意に識別できるユーザ情報が付与される。
【０２８０】
このように構成される印刷システム６では、送信端末１５０から画像形成装置６００に印刷ジョブが送信され、画像形成装置６００で裏紙を使った手動両面印刷が行われる。
【０２８１】
手動両面印刷は、最初に受信した印刷ジョブのデータが裏紙の未印刷面に印刷され、排出された印刷結果が操作者により給紙トレイに反転収納されて、その印刷結果の裏面である既印刷面（印刷ジョブが印刷される前から既に情報が印刷されていた面）に対して隠蔽用の付加情報が印刷される。
【０２８２】
その為、画像形成装置６００の不図示の給紙トレイに裏紙が収納される際には、裏紙の未印刷面が印刷される印刷面となる向きで収納される。
【０２８３】
画像形成装置６００では、手動両面印刷の際中に裏紙の未印刷面に印刷ジョブが印刷された印刷結果は、裏面に既印刷面として印刷ジョブ以外の情報が既に印刷されているので、その既に印刷されていた情報が漏洩しないようにする為の処理が行われる。
【０２８４】
画像形成装置６００では、このような既印刷面の情報が漏洩しない為の処理として、手動両面印刷において裏紙の未印刷面に印刷ジョブが印刷された後に所定の時間が経過しても隠蔽用の付加情報印刷が行われないとエラー状態と判断される処理が行われる。
【０２８５】
次に、送信端末１５０から送信された印刷ジョブを受信した画像形成装置６００で行われる処理について図１６を参照して説明を行う。
【０２８６】
図１６は、画像形成装置６００で行われる処理を示すフローチャートである。
【０２８７】
送信端末１５０でユーザが印刷を所望する原稿の印刷ジョブが作成され、画像形成装置６００に送信される。
【０２８８】
画像形成装置６００が印刷ジョブを待機している初期状態では、手動両面監視部６１０は印刷状態を初期状態と記憶している。
【０２８９】
画像形成装置６００は、送信端末１５０から送信された印刷ジョブを受信すると、印刷ジョブのＰＤＬ言語を解析して印刷用のビットマップ画像データを生成し、図１６に示すように印刷を開始する（Ｓ１６０１）。
【０２９０】
印刷ジョブで指定された給紙トレイや、画像形成装置６００に設定されている優先順位により決定される給紙トレイで印刷が行われるが、裏紙（片面は未印刷面であり、その裏面は既に印刷によりなんらかの情報が印刷された既印刷面となる印刷用紙）が収納された給紙トレイが使用されて行われる手動両面印刷について説明する。
【０２９１】
印刷に使用される給紙トレイには裏紙が収納されており、Ｓ１６０１では裏紙の未印刷面に印刷ジョブのデータが印刷される。
【０２９２】
そして、受信した印刷ジョブに付加されていたユーザ情報は、ユーザ情報管理部６０７に記憶され、印刷される印刷ジョブの印刷枚数がＲＡＭ６０３に記憶される（Ｓ１６０２）。  
また、裏紙の未印刷面がＳ１６０１で印刷されると、手動両面監視部６１０は、印刷状態をジョブデータ印刷状態であると記憶する（Ｓ１６０３）。
【０２９３】
裏紙の未印刷面へ印刷ジョブのデータが印刷され続け（Ｓ１６０４でＮＯ、Ｓ１６０５）、その印刷が終了する（Ｓ１６０４でＹＥＳ）。
【０２９４】
すると、手動両面監視部６１０は、印刷ジョブのデータの印刷が終了した時点で、印刷状態を今度は付加情報印刷待機状態であると記憶する（Ｓ１６０６）。
【０２９５】
裏紙の未印刷面へ印刷ジョブのデータが印刷されて排出される印刷結果には、片面に印刷ジョブのデータが印刷されており、その裏面には裏紙の時点で既印刷面となっている他の情報が印刷されている。
【０２９６】
それで、この裏紙の時点で既印刷面となっている情報が漏洩しないように、その面に付加情報を重畳的に印刷を施して、その面に印刷されている情報を隠蔽する必要がある。
【０２９７】
画像形成装置６００で裏紙を使った手動両面印刷を実行する操作者には、このような必要性から、裏紙の未印刷面に印刷ジョブのデータを印刷した後に、その印刷結果の裏面に付加情報を印刷させる処理をすることが望まれる。
【０２９８】
裏紙の未印刷面への印刷ジョブのデータ印刷が終了した時点で、時間計測部６１４による時間の計測が開始される（Ｓ１６０７）。
【０２９９】
時間計測部６１４は、予め定められた所定の時間まで時間を計測し続けるか（Ｓ１６０８でＮＯ、Ｓ１６０９、Ｓ１６１０）、若しくは、印刷ジョブのデータが印刷された裏紙が給紙トレイに収納されて付加情報の印刷が開始される（Ｓ１６０８でＹＥＳ）まで時間を計測し続ける。
【０３００】
操作者は、印刷結果の裏面に付加情報を印刷させる場合には、裏紙の未印刷面に印刷ジョブのデータが印刷された印刷結果を、その印刷ジョブが印刷された裏面（裏紙時点での既印刷面）が次の印刷の印刷面となるように給紙トレイに収納し、ユーザＩ／Ｆ部６０８より付加情報印刷を指示する。
【０３０１】
操作者が、裏紙の未印刷面に印刷ジョブのデータが印刷終了した後にその印刷結果の裏面に付加情報を印刷させる処理を所定の時間が経過するまでしなかった場合には（Ｓ１６１０でＮＯ）、手動両面監視部６１０は印刷状態を付加情報印刷エラー状態（付加情報が印刷されなかった状態）と記憶する（Ｓ１６１１）。
【０３０２】
所定の時間が経過するまでに付加情報の印刷が開始されたか否かは、エラー判定部６１１によって判定される。
【０３０３】
手動両面監視部６１０に付加情報印刷エラー状態と記憶されると（Ｓ１６１１）、ユーザＩ／Ｆ部６０８にエラー表示がされ（Ｓ１６１２）、画像形成装置６００は以降の印刷処理を停止する異常終了状態となる（Ｓ１６１３）。
【０３０４】
また、操作者が、裏紙の未印刷面に印刷ジョブのデータが印刷終了した後にその印刷結果の裏面に付加情報を印刷させる処理を、所定の時間が経過するまでに実行した場合には（Ｓ１６１０でＹＥＳ）、手動両面監視部６１０は印刷状態を付加情報印刷状態と記憶する（Ｓ１６１４）。
【０３０５】
付加情報の印刷が実行され続け（Ｓ１６１５でＮＯ、Ｓ１６１７）、ＲＡＭ６０３に記憶されている印刷枚数分（最初に裏紙の未印刷面に印刷された印刷ジョブの印刷枚数）付加情報が印刷されると付加情報の印刷が終了される（Ｓ１６１５でＹＥＳ）。
【０３０６】
付加情報の印刷が終了されると（Ｓ１６１５でＹＥＳ）、手動両面監視部６１０は印刷状態を初期状態と記憶し（Ｓ１６１７）、印刷処理は正常終了する。
【０３０７】
そして、画像形成装置６００は、次に送られる印刷ジョブを待機する状態に戻る。
【０３０８】
このように、画像形成装置６００では、裏紙を使った手動両面印刷において、裏紙の未印刷面に印刷ジョブのデータが印刷され、その後、所定の時間が経過しても裏紙の既印刷面への付加情報印刷が開始されないと、裏紙の既印刷面の情報漏えいを防止する観点から異常状態であると判断されて、異常終了される。
【０３０９】
尚、Ｓ１６０８で付加情報印刷が開始されたか否かが判断される基準となる所定の時間は、画像形成装置６００のユーザＩ／Ｆ部６０８から設定することが可能であり、また、送信端末１５０からのコマンドによる設定も可能である。
【０３１０】
尚、印刷システム６は、画像形成装置６００の通信Ｉ／Ｆ部６０１は入力ポートだけにして画像形成装置６００が送信端末１５０から送信される印刷ジョブを受信できるようにした構成を取るようにしてもよい。
【実施例７】
【０３１１】
第７実施例では、第６実施例で説明した画像形成装置６００にパスワード保存部７０１が更に備えられた画像形成装置７００について説明を行う。
【０３１２】
尚、第７実施例では、第１実施例、第６実施例で説明した装置や構成部と同じ機能と構成とを有する装置や構成部には同じ参照番号を付す為、その構成部や装置の説明については、同じ機能や構成の説明はなるべく省略し異なる機能について説明を行う。
【０３１３】
まず、画像形成装置７００を含む印刷システム７について図１７を参照して説明を行う。
【０３１４】
図１７は、印刷システム７の構成を示す模式図である。
【０３１５】
印刷システム７は、図１７に示すように、画像形成装置７００と第１実施例で説明した送信端末１５０とが通信可能に接続されて構成される。
【０３１６】
送信端末１５０と画像形成装置７００とは、ネットワーク接続或いは双方向に通信可能なローカル接続の通信回線によって接続される。
【０３１７】
画像形成装置７００は、第６実施例で説明した画像形成装置６００が備える各構成部（通信Ｉ／Ｆ部６０１、制御部６０２、ＲＡＭ６０３、ＲＯＭ６０４、印刷データ処理部６０５、印刷部６０６、ユーザ情報管理部６０７、ユーザＩ／Ｆ部６０８、時間計測部６１４）に加えて、更に、パスワード保存部７０１を備え、制御部６０２内にエラー解除判定部７０２の機能を備える。
【０３１８】
パスワード保存部７０１は、画像形成装置７００の手動両面監視部６１０が付加情報印刷エラー状態と記憶して画像形成装置７００がエラー状態となった後に、そのエラー状態を解除させるパスワードを記憶する。
【０３１９】
このパスワード保存部７０１に記憶されるパスワードは画像形成装置７００のユーザＩ／Ｆ部より予め設定される。
【０３２０】
パスワード保存部７０１のパスワードは、画像形成装置７００の管理者権限を有する管理者のみが知りうる操作手順（特定のボタン操作等）が行われた場合のみパスワード設定や変更が行われるようにすることが望ましい。
【０３２１】
エラー解除判定部７０２は、手動両面監視部６１０が付加情報印刷エラー状態と記憶している状態でユーザＩ／Ｆ部６０８から入力されるパスワードと、パスワード保存部７０１に記憶するパスワードとが一致するか否かを確認する。
【０３２２】
また、送信端末１５０は、第１実施例で説明したように、通信Ｉ／Ｆ部１５１、入力部１５２、制御部１５３、表示部１５４、記憶部１５５、プリンタドライバ１５６を有する。
【０３２３】
プリンタドライバ１５６は、操作者が指示する原稿を画像形成装置７００で印刷させる印刷ジョブを生成するプリンタドライバである。
【０３２４】
そして、プリンタドライバ１５６が生成する印刷ジョブには、送信端末１５０を操作して印刷ジョブ生成を指示する操作者を一意に識別できるユーザ情報が付与される。
【０３２５】
このように構成される画像形成装置７００では、第６実施例で説明した画像形成装置６００と同様に、裏紙を使った手動両面印刷において、裏紙の未印刷面に受信した印刷ジョブのデータが印刷され、その後、所定の時間が経過しても裏紙の既印刷面への付加情報印刷（情報の隠蔽目的）が開始されないと、手動両面印刷監視部６１０が付加情報印刷エラー状態と記憶して、ユーザＩ／Ｆ部６０８にエラー表示がされる。
【０３２６】
その後、画像形成装置７００では、エラー表示がされているユーザＩ／Ｆ部６０８にエラー解除用のパスワードが入力されるとエラー状態が解除される。
【０３２７】
次に、画像形成装置７００で行われる処理について図１８を参照して説明を行う。
【０３２８】
図１８は、画像形成装置７００で行われる処理を示したフローチャートである。
【０３２９】
尚、第６実施例で図１６を参照して説明した処理と同様の処理については同じ参照番号（Ｓ〜）を付して簡単に説明する。
【０３３０】
送信端末１５０でユーザが印刷を所望する原稿の印刷ジョブが生成され、画像形成装置７００に送信される。
【０３３１】
画像形成装置７００では、図１８に示すように、第６実施例で説明した画像形成装置６００と同様に、受信した印刷ジョブの印刷を開始し（Ｓ１６０１）、ユーザ情報がユーザ情報管理部６０７に記憶されて印刷枚数がＲＡＭ６０３に記憶され（Ｓ１６０２）、手動両面印刷監視部６１０が印刷状態をジョブデータ印刷状態と記憶し（Ｓ１６０３）、裏紙を使った印刷ジョブの印刷が終了すると（Ｓ１６０４でＹＥＳ）、手動両面監視部６１０が印刷状態を付加情報印刷待機状態と記憶する（Ｓ１６０６）。
【０３３２】
そして、画像形成装置７００では、第６実施例で説明した画像形成装置６００と同様に、時間計測部６１４が時間計測を開始し（Ｓ１６０７）、所定の時間内に付加情報の印刷が開始されないと（Ｓ１６０８でＮＯ、Ｓ１６０９、Ｓ１６１０でＮＯ）、手動両面印刷部６１０が印刷状態を付加情報印刷エラー状態と記憶して（Ｓ１６１１）、ユーザＩ／Ｆ部６０８にエラー表示がされる（Ｓ１６１２）。
【０３３３】
エラー表示がされると（Ｓ１６１２）、画像形成装置７００では、それ以降の印刷処理が停止されて、エラー解除用のパスワード入力をユーザＩ／Ｆ部６０８で待つ状態となる（Ｓ１７０１でＮＯ）。
【０３３４】
画像形成装置７００の管理者は、印刷処理が停止された画像形成装置７００を復旧させるために、ユーザＩ／Ｆ部６０８よりエラー解除用のパスワードを入力する。
【０３３５】
入力されたパスワードは、エラー解除判定部７０２によってパスワード保存部７０１に記憶されるパスワードと一致するか否かが確認される。
【０３３６】
パスワードが一致する場合には（Ｓ１７０１でＹＥＳ）、制御部６０２が、ユーザ情報管理部６０７に記憶するユーザ情報とエラー情報を含むエラーレポートを作成して印刷部６０６で印刷させ出力させる（Ｓ１７０２）。
【０３３７】
エラーレポートには、画像形成装置７００の印刷ログに記録される情報に基づきＳ１６０５で印刷された印刷ジョブの詳細や、情報隠蔽目的の付加情報印刷が行われなかった旨が記載されてもよい。
【０３３８】
エラーレポートが出力されると、手動両面監視部６１０は、印刷状態を初期状態と記憶し（Ｓ１６１７）、画像形成装置７００は処理を終了し、次に送られる印刷ジョブを待機する状態に戻る。
【０３３９】
また、画像形成装置７００では、Ｓ１６０８で所定の時間内に付加情報の印刷開始がなされた場合には（Ｓ１６０８でＹＥＳ）、第６実施例で説明した画像形成装置６００と同様に、手動両面監視部６１０が印刷状態を付加情報印刷状態と記憶し（Ｓ１６１４）、付加情報の印刷が終了すると（Ｓ１６１５でＹＥＳ）、手動両面監視部６１０は印刷状態を初期状態と記憶し（Ｓ１６１７）、画像形成装置７００は処理を終了し、次に送られる印刷ジョブを待機する状態に戻る。
【０３４０】
尚、Ｓ１７０１でエラー解除用のパスワードが管理者によって入力される際には、画像形成装置７００と接続される不図示の管理者用情報端末からのコマンド入力によってパスワード入力が行われるようにしてもよい。
【０３４１】
尚、印刷システム７は、画像形成装置７００の通信Ｉ／Ｆ部６０１は入力ポートだけにして画像形成装置７００が送信端末１５０から送信される印刷ジョブを受信できるようにした構成を取るようにしてもよい。
【実施例８】
【０３４２】
第８実施例では、第７実施例で説明した画像形成装置７００にエラー状態保存部８０１が更に備えられた画像形成装置８００について説明を行う。
【０３４３】
尚、第８実施例では、第１実施例、第６実施例、第７実施例で説明した装置や構成部と同じ機能と構成とを有する装置や構成部には同じ参照番号を付す為、その構成部や装置の説明については、同じ機能や構成の説明はなるべく省略し異なる機能について説明を行う。
【０３４４】
まず、画像形成装置８００を含む印刷システム８について図１９を参照して説明を行う。
【０３４５】
図１９は、印刷システム８の構成を示す模式図である。
【０３４６】
印刷システム８は、図１９に示すように、画像形成装置８００と第１実施例で説明した送信端末１５０とが通信可能に接続されて構成される。
【０３４７】
送信端末１５０と画像形成装置８００とは、ネットワーク接続或いは双方向に通信可能なローカル接続の通信回線によって接続される。
【０３４８】
画像形成装置８００は、第７実施例で説明した画像形成装置７００が備える各構成部（通信Ｉ／Ｆ部６０１、制御部６０２（エラー解除判定部７０２を含む）、ＲＡＭ６０３、ＲＯＭ６０４、印刷データ処理部６０５、印刷部６０６、ユーザ情報管理部６０７、ユーザＩ／Ｆ部６０８、時間計測部６１４、パスワード保存部７０１）に加えて、更に、エラー状態保存部８０１を備える。
【０３４９】
エラー状態保存部８０１は、不揮発性メモリで構成され、ユーザ情報やエラー情報を記憶する。
【０３５０】
また、送信端末１５０は、第１実施例で説明したように、通信Ｉ／Ｆ部１５１、入力部１５２、制御部１５３、表示部１５４、記憶部１５５、プリンタドライバ１５６を有する。
【０３５１】
プリンタドライバ１５６は、操作者が指示する原稿を画像形成装置８００で印刷させる印刷ジョブを生成するプリンタドライバである。
【０３５２】
そして、プリンタドライバ１５６が生成する印刷ジョブには、送信端末１５０を操作して印刷ジョブ生成を指示する操作者を一意に識別できるユーザ情報が付与される。
【０３５３】
このように構成される印刷システム８では、送信端末１５０から画像形成装置８００に印刷ジョブが送信され、画像形成装置８００で印刷処理が行われる。
【０３５４】
画像形成装置８００では、第７実施例で説明した画像形成装置７００と同様に、裏紙を使った手動両面印刷の際、裏紙の未印刷面に受信した印刷ジョブのデータが印刷され、その印刷ジョブの印刷が終了すると手動両面印刷監視部６１０が付加情報印刷待機状態と記憶し、その後、所定の時間が経過しても裏紙の既印刷面への付加情報印刷が開始されないと、手動両面印刷監視部６１０が付加情報印刷エラー状態と記憶して、ユーザＩ／Ｆ部６０８にエラー表示がされる。
【０３５５】
画像形成装置８００では、このように第７実施例で図１８を参照して説明した画像形成装置７００での処理と同様の処理が行われるが、手動両面印刷監視部６１０が付加情報印刷待機状態もしくは付加情報印刷エラー状態と記憶している状態で自装置の電源オフ要求が行われた場合、または、自装置が電源オフの状態から電源オンの要求が行われた場合における処理が画像形成装置７００とは異なる。
【０３５６】
次に、画像形成装置８００の電源がオフされる処理について図２０を参照して説明を行う。
【０３５７】
図２０は、電源オフ要求が行われた画像形成装置８００の処理について示したフローチャートである。
【０３５８】
画像形成装置８００の電源オフ要求は、不図示の電源オフボタンが押下されることにより行われる。
【０３５９】
画像形成装置８００の電源オフ要求が行われると（Ｓ２００１）、制御部６０２が手動両面監視部６１０に記憶される印刷状態を取得する。
【０３６０】
手動両面監視部６１０に記憶される印刷状態が、付加情報印刷待機状態もしくは付加情報印刷エラー状態である場合には（Ｓ２００２でＹＥＳ）、通常の電源オフ処理の前に、エアー情報とユーザ情報管理部６０７に記憶されるユーザ情報とがエラー状態保存部８０１に記憶される（Ｓ２００３）。
【０３６１】
その後通常の電源オフ処理が行われ、画像形成装置８００の電源がオフされる（Ｓ２００４）。
【０３６２】
次に、画像形成装置８００の電源がオンされる処理について図２１を参照して説明を行う。
【０３６３】
図２１は、電源がオフの状態から電源オン要求が行われた画像形成装置８００の処理について示したフローチャートである。
【０３６４】
画像形成装置８００の電源オン要求は、不図示の電源オンボタンが押下されることにより行われる。
【０３６５】
画像形成装置８００が電源オフの状態から電源オン要求が行われると画像形成装置８００に電源が投入される（Ｓ２１０１）。
【０３６６】
画像形成装置８００に電源が投入されると、画像形成装置８００の制御部６０２は、エラー状態保存部８０１にエラー情報等が記憶されていないか確認する（Ｓ２１０２）。
【０３６７】
エラー状態保存部８０１にエラー情報が記憶されている場合には（Ｓ２１０２でＹＥＳ）、制御部６０２は、画像形成装置８００の印刷処理を停止させユーザＩ／Ｆ部６０８にエラー表示を行わせる（Ｓ２１０３）。
【０３６８】
ユーザＩ／Ｆ部６０８にエラー表示がされている状態では、画像形成装置８００の印刷処理は停止されて、印刷が実行できない状態となっている。
【０３６９】
画像形成装置８００を利用とする操作者は、画像形成装置８００を利用することができないと判断し、管理者に処理をお願いする。
【０３７０】
管理者は、エラー表示がされている画像形成装置８００のユーザＩ／Ｆ部６０８若しくは画像形成装置８００と接続される不図示の管理者用情報端末から、エラー解除用のパスワードを入力する。
【０３７１】
入力されたパスワードはエラー解除判定部７０２によりパスワード保存部７０１に記憶されるパスワードと一致するかが確認され、一致すれば正しいパスワードが入力されたと確認される（Ｓ２１０４でＹＥＳ）。
【０３７２】
正しいパスワードの入力が確認されると、印刷処理の停止が解除され（Ｓ２１０５）、  エラー状態保存部８０１に記憶されるエラー情報やユーザ情報を含むエラーレポートが作成され、印刷部６０６より印刷出力される（Ｓ２１０６）。
【０３７３】
そして、エラー状態保存部８０１に記憶されるエラー情報やユーザ情報は消去され（Ｓ２１０７）、画像形成装置８００は送信端末１５０から送られる印刷ジョブを待機する状態となる。
【０３７４】
このように、画像形成装置８００では、裏紙を使う手動両面印刷を実行しようとする操作者が、付加情報を印刷させないでパスワード入力が必要なエラー状態（付加情報印刷エラー状態）になってから電源をオフにしても、次に電源がオンされた時点でパスワードの入力が必要な状態に戻るため、情報隠蔽の為の付加情報印刷をしない操作者のごまかしが防止される。
【０３７５】
また、画像形成装置８００で裏紙を使う手動両面印刷を実行しようとする操作者が、所望の印刷ジョブを印刷させたのちに（付加情報印刷待機状態）電源をオフにしても、次に電源がオンされた時点で同様にパスワードの入力が必要な状態になるので、情報隠蔽の為の付加情報印刷をしない操作者のごまかしが防止される。
【０３７６】
尚、印刷システム８は、画像形成装置７００の通信Ｉ／Ｆ部６０１は入力ポートだけにして画像形成装置８００が送信端末１５０から送信される印刷ジョブを受信できるようにした構成を取るようにしてもよい。
【実施例９】
【０３７７】
印刷システム９について図２２を参照して説明を行う。
【０３７８】
尚、第９実施例では、第１実施例で説明した構成部と同じ機能、構成を有する構成部には同じ参照番号を付して説明する為、その構成部についての同じ内容の説明はなるべく省略し異なる機能についての説明を行うようにする。
【０３７９】
図２２は、印刷システム９の構成を示す模式図である。
【０３８０】
印刷システム９は、画像形成装置９００と送信端末９５０とがネットワーク接続あるいはローカル接続によって通信可能に接続されて構成される。
【０３８１】
画像形成装置９００は、通信Ｉ／Ｆ部９０１、印刷部９０２、印刷データ保持部９０３、履歴管理部９０４、ユーザＩ／Ｆ部９０５、隠蔽ユーザ情報格納部９０６、制御部９０７、印刷管理部９０８、印刷データ処理部９０９、ＲＡＭ９１２、ＲＯＭ９１３を有する。
【０３８２】
通信Ｉ／Ｆ部９０１は、送信端末９５０と画像形成装置９００とが接続される通信回線に接続され、送信端末９５０から印刷ジョブや各種情報を受信する。
【０３８３】
印刷部９０２は、用紙に画像を形成する印刷実行機構を備えて、印刷を実行する。
【０３８４】
印刷データ保持部９０３は、後に説明する、画像生成部９１０で生成された印刷ジョブのビットマップ画像や、付加情報データ生成部９１１で生成された付加情報のビットマップ画像をスプールのために一時記憶する。
【０３８５】
履歴管理部９０４は、画像形成装置９００で行われた各結果を保存する。
【０３８６】
ユーザＩ／Ｆ部９０５は、液晶のタッチパネルで構成されるユーザインタフェースである。
【０３８７】
隠蔽ユーザ情報格納部９０６は、裏紙印刷が行われる際に、裏紙の既印刷面に付加情報を印刷して情報の隠蔽をすべき操作者についての情報を記憶する。
【０３８８】
制御部９０７は、ＣＰＵで構成され、画像形成装置９００を統括制御する。
【０３８９】
印刷管理部９０８は、印刷不許可とされた操作者の印刷処理を行わせない制御をする。
【０３９０】
印刷データ処理部９０９は、印刷部９０２で印刷されるビットマップ画像を生成する処理を行い、その為に、画像生成部９１０と付加情報データ生成部９１１とを有する。
【０３９１】
画像生成部９１０は、受信した印刷ジョブのＰＤＬ言語を解析して印刷部９０２で印刷されるビットマップ画像を生成する。
【０３９２】
付加情報データ生成部９１１は、裏紙の既印刷面に付加情報を印刷する際の付加情報データを生成し、その付加情報データのビットマップ画像を生成する。
【０３９３】
ＲＡＭ９１２は、装置を制御するシステムデータなどの各種データを記憶するワークエリアの機能を司る。
【０３９４】
ＲＯＭ９１３には、画像形成装置１００を動作させるファームウェアなどが記憶される。
【０３９５】
また、送信端末９５０は、印刷ジョブを送信するパーソナルコンピュータであり、第１実施例で説明した画像形成装置１５０が備える通信Ｉ／Ｆ部１５１、入力部１５２、制御部１５３、表示部１５４、記憶部１５５を備え、更に、プリンタドライバ９５１、隠蔽処理ユーザ設定モジュール９５２を備える。
【０３９６】
プリンタドライバ９５１は、所望の原稿を画像形成装置９００で印刷させる印刷ジョブを生成する。
【０３９７】
また、プリンタドライバ９５１は、隠蔽処理設定ＵＩ（User Interface）部９５３、ユーザ情報ＵＩ部９５４を備える。
【０３９８】
隠蔽処理設定ＵＩ部９５３は、裏紙を使用する印刷において隠蔽処理（既印刷面に付加情報を印刷する処理）を行うか否かの選択を受け付ける。
【０３９９】
隠蔽処理設定ＵＩ部９５３で隠蔽処理をしないと操作者が指示しても、画像形成装置９００の隠蔽ユーザ情報格納部９０６に隠蔽処理をすべき人物として登録されていれば、隠蔽ユーザ情報格納部９０６に格納されている情報が優先されて、隠蔽処理をすべきであるとして処理が行われる。
【０４００】
ユーザ情報ＵＩ部９５４は、隠蔽処理をすべき人物とされている操作者が送信端末９５０より印刷を指示する場合に入力するパスワードを受け付けるユーザインタフェースである。
【０４０１】
隠蔽処理ユーザ設定モジュール９５２は、管理者権限で使用可能なモジュールであり、操作者毎に裏紙を使用する印刷において既印刷面に付加情報を印刷させる隠蔽処理を行うか否かの設定が行われる。
【０４０２】
送信端末９５０には複数の操作者が使用できるようにログインユーザ管理がなされている。
【０４０３】
その中で管理者権限を有するユーザでログインした場合にだけ、隠蔽処理ユーザ設定モジュール９５２が使用される。
【０４０４】
隠蔽処理ユーザ設定モジュール９５２では、操作者名と隠蔽の是非とが管理者により入力されて、その入力された情報が画像形成装置９００に送られて隠蔽ユーザ情報格納部９０６に記憶される。
【０４０５】
このように構成される印刷システム９では、裏紙を使用する印刷の際に隠蔽処理をすべき操作者には画像形成装置９００にパスワード入力をしないと印刷できないようになっており、そして、隠蔽処理をしなかった操作者にはその後の画像形成装置９００での印刷処理が許可されないように構成されている。
【０４０６】
次に、送信端末９５０から印刷ジョブが送られて画像形成装置９００で裏紙を使った印刷処理がされる処理について図２３を参照して説明を行う。
【０４０７】
図２３は、印刷ジョブを受信した画像形成装置９００で印刷ジョブのデータが付加情報印刷より先に印刷される場合について示したフローチャートである。
【０４０８】
送信端末９５０では、送信端末９５０にログインした操作者により所望の原稿の印刷指示がなされる。
【０４０９】
印刷指示を行う操作者は、プリンタドライバ９５１で印刷ジョブを作成させるわけであるが、画像形成装置９００での印刷を裏紙が収納された給紙トレイで行うように印刷ジョブを作成させることができる。
【０４１０】
プリンタドライバ９５１の操作画面が表示部１５４に表示され、給紙トレイの選択で裏紙が収納された給紙トレイが選択されると、ポップアップで隠蔽処理設定ＵＩ部９５３の画面とユーザ情報ＵＩ部９５４の画面が表示される。
【０４１１】
操作者は隠蔽処理設定ＵＩ部９５３の画面で隠蔽処理の是非を選択して入力する（隠蔽処理設定ＵＩ部９５３の画面で隠蔽処理しないと入力されても隠蔽ユーザ情報格納部９０６に隠蔽すべき操作者と登録されている場合には隠蔽処理が必要なように処理される）。
【０４１２】
また、操作者はユーザ情報ＵＩ部９５４の画面でパスワードを入力する。
【０４１３】
そうしてプリンタドライバ９５１で作成される印刷ジョブには、送信端末９５０にログインして印刷を指示した操作者のユーザ情報（ログイン時のユーザ名）、隠蔽処理の是非、パスワードが付与されて、送信端末９５０から画像形成装置９００に送信される。
【０４１４】
画像形成装置９００で印刷ジョブが受信されると（Ｓ２３０１）印刷ジョブに付与された情報が解析される（Ｓ２３０２）。
【０４１５】
まず、印刷ジョブの印刷を指示した操作者のユーザ情報が、印刷管理部９０８により、履歴管理部９０４に記憶される印刷不許可とされる操作者であるか否かが判断される。
【０４１６】
印刷不許可とされる操作者である場合には、もちろん画像形成装置９００で印刷処理は行われない。
【０４１７】
印刷指示した操作者のユーザ情報が印刷不許可とされる操作者でない場合には、次に、制御部９０７により、印刷指示した操作者が隠蔽ユーザ情報格納部９０６にどのように登録されているか確認される。
【０４１８】
印刷指示した操作者が隠蔽処理すべき操作者であると登録されている場合には、制御部９０７は隠蔽処理ありのフラグを立てて、以降の処理を隠蔽処理ありとして処理される。
【０４１９】
印刷指示した操作者が隠蔽処理すべき操作者ではないと登録されている場合には、印刷ジョブに付与された隠蔽処理の是非の内容に従い、制御部９０７は隠蔽処理ありのフラグを立てるもしくは立てないの処理を行う。
【０４２０】
制御部９０７により隠蔽処理があると判断されると（Ｓ２３０３でＹＥＳ）、付加情報データ生成部９１１が裏面の既印刷面に隠蔽印刷を行う付加情報データを生成し、そのビットマップ画像を生成する（Ｓ２３０４）。
【０４２１】
また、受信した印刷ジョブに基づき、画像生成部９１０で、印刷ジョブのデータのビットマップ画像が生成される。
【０４２２】
そして、生成された付加情報データのビットマップ画像と、印刷ジョブのデータのビットマップ画像とが印刷データ保持部９０３にスプールされる（Ｓ２３０５）。
【０４２３】
ユーザＩ／Ｆ部９０５にはパスワード入力画面が表示され、送信端末９５０より印刷指示した操作者が画像形成装置９００に出向いて、ユーザ名とパスワードがその操作者により入力される（Ｓ２３０６）。
【０４２４】
入力されたパスワードは画像形成装置９００が受信した印刷ジョブに付与されていたパスワードと照合され、正しいパスワードである場合には、印刷データ保持部９０３にスプールされた印刷ジョブのデータのビットマップ画像が印刷部９０２で裏紙のある給紙トレイから印刷される（Ｓ２３０７）。
【０４２５】
図２３を参照して説明するように、画像形成装置９００で裏紙を使った印刷が、印刷ジョブのデータが付加情報印刷より先に印刷される場合には、給紙トレイに収納される裏紙は、未印刷面が印刷面となるように収納されている。
【０４２６】
裏紙を使って印刷ジョブのデータを印刷した操作者には、裏紙の既印刷面に付加情報を印刷させる隠蔽処理を行うことが望まれる。
【０４２７】
隠蔽処理は、印刷ジョブのデータが印刷された印刷結果の、そのデータが印刷された面の裏面に当たる裏紙の既印刷面を、次の印刷の印刷面となるように給紙トレイに収納し、付加情報の印刷指示をユーザＩ／Ｆ部９０５に入力する処理である。
【０４２８】
印刷ジョブのデータが印刷終了すると、制御部９０７に隠蔽処理ありのフラグが立てられていれば（Ｓ２３０８でＹＥＳ）、予め定められた所定時間内に付加情報印刷が開始されるか否かが制御部９０７に監視される。
【０４２９】
印刷ジョブのデータを印刷させた操作者が上記隠蔽処理を行わず、所定の時間が経過しても付加情報の印刷指示を受け付けない場合には（Ｓ２３０９でＮＯ）、Ｓ２３０７で印刷された印刷ジョブに付加されたユーザ名が印刷処理不許可の操作者として履歴管理部９０４に記憶される（Ｓ２３１０）。
【０４３０】
履歴管理部９０４に印刷処理不許可の操作者としてユーザ名が記憶された操作者は、管理者による不許可解除がなされない限り、画像形成装置９００での印刷処理が行えない。  そして、制御部９０７に立てられた隠蔽処理ありのフラグは消去される。
【０４３１】
また、印刷ジョブのデータをＳ２３０７で印刷させた操作者が上記隠蔽処理を行って、所定の時間内に付加情報印刷が開始されると（Ｓ２３０９でＹＥＳ）、操作者によって印刷結果が収納された給紙トレイより、付加情報の印刷が、Ｓ２３０７で印刷ジョブのデータの印刷枚数と同じ枚数だけ行われる（Ｓ２３１１）。
【０４３２】
付加情報の印刷が終了すると、履歴管理部９０４に正常印刷として履歴が記憶される（Ｓ２３１２）。
【０４３３】
そして、制御部９０７に立てられた隠蔽処理ありのフラグは消去される。
【０４３４】
また、印刷ジョブのデータが印刷終了された後に、制御部９０７に隠蔽処理ありのフラグが立てられていない場合には（Ｓ２３０８でＮＯ）、印刷ジョブのデータが正常に印刷終了したとして、履歴管理部９０４に履歴が記憶される（Ｓ２３１２）。
【０４３５】
隠蔽処理ありのフラグが立てられない操作者とは、会社の中でも上役で強い権限を持っていて情報を隠蔽する必要のない操作者などが考えられる。
【０４３６】
次に、印刷ジョブを受信した画像形成装置９００で裏紙を使った印刷で、付加情報印刷が印刷ジョブのデータの印刷より先に行われる処理について図２４を参照して説明を行う。
【０４３７】
図２４は、印刷ジョブを受信した画像形成装置９００で付加情報印刷が印刷ジョブのデータの印刷より先に行われる処理を示したフローチャートである。
【０４３８】
送信端末９５０では、送信端末９５０にログインした操作者により所望の原稿の印刷指示がなされる。
【０４３９】
印刷指示を行う操作者は、プリンタドライバ９５１で印刷ジョブを作成させるわけであるが、画像形成装置９００での印刷を裏紙が収納された給紙トレイで行うように印刷ジョブを作成させることができる。
【０４４０】
プリンタドライバ９５１の操作画面が表示部１５４に表示され、給紙トレイの選択で裏紙が収納された給紙トレイが選択されると、ポップアップで隠蔽処理設定ＵＩ部９５３の画面とユーザ情報ＵＩ部９５４の画面が表示される。
【０４４１】
操作者は隠蔽処理設定ＵＩ部９５３の画面で隠蔽処理の是非を選択して入力する（隠蔽処理設定ＵＩ部９５３の画面で隠蔽処理しないと入力されても隠蔽ユーザ情報格納部９０６に隠蔽すべき操作者と登録されている場合には隠蔽処理が必要なように処理される）。
【０４４２】
また、操作者はユーザ情報ＵＩ部９５４の画面でパスワードを入力する。
【０４４３】
そうしてプリンタドライバ９５１で作成される印刷ジョブには、送信端末９５０にログインして印刷を指示した操作者のユーザ情報（ログイン時のユーザ名）、隠蔽処理の是非、パスワードが付与されて、送信端末９５０から画像形成装置９００に送信される。
【０４４４】
画像形成装置９００で印刷ジョブが受信されると（Ｓ２４０２）印刷ジョブに付与された情報が解析される（Ｓ２４０２）。
【０４４５】
まず、印刷ジョブの印刷を指示した操作者のユーザ情報が、印刷管理部９０８により、履歴管理部９０４に記憶される印刷不許可とされる操作者であるか否かが判断される。
【０４４６】
印刷不許可とされる操作者である場合には、もちろん画像形成装置９００で印刷処理は行われない。
【０４４７】
印刷指示した操作者のユーザ情報が印刷不許可とされる操作者でない場合には、次に、制御部９０７により、印刷指示した操作者が隠蔽ユーザ情報格納部９０６にどのように登録されているか確認される。
【０４４８】
印刷指示した操作者が隠蔽処理すべき操作者であると登録されている場合には、制御部９０７は隠蔽処理ありのフラグを立てて、以降の処理を隠蔽処理ありとして処理される。
【０４４９】
印刷指示した操作者が隠蔽処理すべき操作者ではないと登録されている場合には、印刷ジョブに付与された隠蔽処理の是非の内容に従い、制御部９０７は隠蔽処理ありのフラグを立てるもしくは立てないの処理を行う。
【０４５０】
制御部９０７により隠蔽処理があると判断されると（Ｓ２４０３でＹＥＳ）、付加情報データ生成部９１１が裏面の既印刷面に隠蔽印刷を行う付加情報データを生成し、そのビットマップ画像を生成する（Ｓ２４０４）。
【０４５１】
また、受信した印刷ジョブに基づき、画像生成部９１０で、印刷ジョブのデータのビットマップ画像が生成される。
【０４５２】
そして、生成された印刷ジョブのデータのビットマップ画像が印刷データ保持部９０３にスプールされ、印刷ジョブのデータのビットマップ画像の印刷枚数がＲＡＭ９１２に記憶される（Ｓ２４０５）。
【０４５３】
ユーザＩ／Ｆ部９０５にはパスワード入力画面が表示され、送信端末９５０より印刷指示した操作者が画像形成装置９００に出向いて、ユーザ名とパスワードがその操作者により入力される（Ｓ２４０６）。
【０４５４】
入力されたパスワードは画像形成装置９００が受信した印刷ジョブに付与されていたパスワードと照合され、正しいパスワードである場合には、付加情報データ生成部９１１が生成した付加情報データのビットマップ画像が印刷部９０２で裏紙のある給紙トレイから印刷される（Ｓ２４０７）。
【０４５５】
付加情報の印刷は、Ｓ２４０５でＲＡＭ９１２に記憶された印刷枚数だけ行われる。
【０４５６】
図２４を参照して説明するように、画像形成装置９００で裏紙を使った印刷が、付加情報印刷が印刷ジョブのデータの印刷より先に行われる場合には、給紙トレイに収納される裏紙は、既印刷面が印刷面となるように収納されている。
【０４５７】
裏紙の既印刷面に付加情報が印刷された印刷結果が排出されると、操作者は、その印刷結果を給紙トレイに収納して、送信端末９５０より送った印刷ジョブのデータを印刷させるようユーザＩ／Ｆから印刷指示を入力する。
【０４５８】
印刷結果が給紙トレイに収納される際には、印刷結果の未印刷面が次に印刷の印刷面となるように収納される。
【０４５９】
そして、付加情報の印刷が終了してから所定の時間が経過するまでに、印刷ジョブのデータの印刷指示がなされない場合には（Ｓ２４０８でＮＯ）、Ｓ２４０６で入力されたユーザ名が印刷処理不許可の操作者として履歴管理部９０４に記憶される（Ｓ２４０９）。  そして、制御部９０７に立てられた隠蔽処理ありのフラグは消去される。
【０４６０】
また、付加情報の印刷が終了してから所定の時間内に、印刷ジョブのデータの印刷指示がなされた場合には（Ｓ２４０８でＹＥＳ）、印刷データ保持部９０３にスプールされる印刷ジョブのデータのビットマップ画像が、印刷部９０２で、付加情報の印刷結果が操作者により収納された給紙トレイが使用されて印刷される（Ｓ２４１０）。
【０４６１】
印刷ジョブのデータが印刷終了すると、印刷ジョブのデータが正常に印刷終了したとして、履歴管理部９０４に履歴が記憶される（Ｓ２４１１）。
【０４６２】
そして、制御部９０７に立てられた隠蔽処理ありのフラグは消去される。
【０４６３】
また、Ｓ２４０３で、制御部９０７により隠蔽処理がないと判断されると（Ｓ２４０３でＮＯ）、Ｓ２４０１で受信した印刷ジョブについて画像生成部９１０でビットマップ画像が生成され、印刷部９０２が、指示された給紙トレイを使用してそのビットマップ画像の印刷を行う（Ｓ２４１２）。
【０４６４】
印刷が終了すると、正常に印刷が終了したとして、履歴管理部９０４に履歴が記憶される（Ｓ２４１１）。
【０４６５】
このように、画像形成装置９００は、ＲＯＭ９１３に記憶されるファームウェアの違いにより、裏紙を使った印刷で印刷ジョブのデータの印刷が付加情報より先に印刷される（図２３を参照して説明）、或いは、裏紙を使った印刷で付加情報印刷が印刷ジョブのデータの印刷よりも先に行われる（図２４を参照して説明）ように構成される。
【０４６６】
尚、管理者は画像形成装置９００のユーザＩ／Ｆ部９０５からの指示、或いは、管理者権限でログインした送信端末９５０からのコマンド指示によって履歴管理部９０４に記憶される履歴情報を印刷出力させたり、確認することができる。
【０４６７】
管理者は、その履歴情報から印刷処理不許可の操作者を確認でき、その操作者の印刷処理不許可を取り消すことができる。
【０４６８】
不許可の取り消しを行う管理者は、送信端末９５０に管理者権限を有するユーザとしてログインし、送信端末９５０から画像形成装置９５０の印刷管理部９０８に、特定の操作者の不許可を取り消すように設定する。
【０４６９】
印刷管理部９０８は、印刷処理不許可の取り消しが行われた操作者に対しては、その設定の後、印刷処理を許可する。
【０４７０】
印刷処理不許可の取り消しの設定は、画像形成装置９００のユーザＩ／Ｆ部９０５から入力処理されてもよい。
【０４７１】
管理者による印刷処理不許可の取り消しの設定の際には、設定前に管理者確認の為に管理者パスワードの確認が行われるものとする。
【０４７２】
尚、隠蔽ユーザ情報格納部９０６に記憶される情報は、送信端末９５０の隠蔽処理ユーザ設定モジュール９５２によって入力されるように説明したが、送信端末９５０が隠蔽処理ユーザ設定モジュール９５２を具備しないで画像形成装置９００のユーザＩ／Ｆ部９０５から入力されるように構成してもよい。
【実施例１０】
【０４７３】
印刷システム１０について図２５を参照して説明を行う。
【０４７４】
尚、第１０実施例では、第１実施例で説明した構成部や装置と同じ機能、構成を有する構成部や装置には同じ参照番号を付して説明する為、その構成部や装置についての同じ内容の説明はなるべく省略し異なる機能についての説明を行うようにする。
【０４７５】
図２５は、印刷システム１０の機能的構成を示す模式図である。
【０４７６】
印刷システム１０は、画像形成装置１０００と送信端末１５０とがネットワーク接続あるいはローカル接続によって通信可能に接続されて構成される。
【０４７７】
画像形成装置１０００は、通信Ｉ／Ｆ部１００１、印刷部１００２、制御部１００３、ユーザＩ／Ｆ部１００４、ＲＡＭ１００５、ＲＯＭ１００６、印刷データ処理部１００７、ジョブデータ読出部１００８、ジョブデータ蓄積部１００９、ジョブ情報保存部１０１０、各種付加情報データ記憶部１０１７とを有する。
【０４７８】
通信Ｉ／Ｆ部１００１は、画像形成装置１０００と送信端末１５０とが接続される通信回線に接続され、送信端末１５０から印刷ジョブや各種情報を受信する。
【０４７９】
印刷部１００２は、用紙に画像を形成する印刷実行機構を備えて、印刷を実行する。
【０４８０】
制御部１００３は、ＣＰＵで構成され、画像形成装置１０００を統括制御する。
【０４８１】
ユーザＩ／Ｆ部１００４は、液晶のタッチパネルで構成されるユーザインタフェースである。
【０４８２】
ＲＡＭ１００５は、装置を制御するシステムデータなどの各種データを記憶するワークエリアの機能を司る。
【０４８３】
ＲＯＭ１００６は、画像形成装置１００を動作させるファームウェアなどが記憶される。
【０４８４】
印刷データ処理部１００７は、印刷部１００２で印刷されるビットマップ画像を生成する処理を行い、その為に、画像生成部１０１１と付加情報データ生成部１０１２とを備える。
【０４８５】
画像生成部１０１１は、受信した印刷ジョブのＰＤＬ言語を解析して印刷部１００２で印刷されるビットマップ画像を生成する。
【０４８６】
付加情報データ生成部１０１２は、裏紙の既印刷面に印刷される付加情報のビットマップ画像を生成する。
【０４８７】
ジョブデータ読出部１００８は、ジョブデータ蓄積部１００９に蓄積される印刷ジョブのデータを読み出す処理を行う。
【０４８８】
ジョブデータ蓄積部１００９は、受信した印刷ジョブを蓄積する。
【０４８９】
ジョブ情報保存部１０１０は、受信して印刷予定である印刷ジョブについの各種情報を保存する。
【０４９０】
そして、ジョブ情報保存部１０１０は、各種情報を保存する為に、用紙紙質情報保存部１０１３、用紙枚数情報保存部１０１４、付加情報付加枚数格納部１０１５、付加情報データ格納部１０１６を有する。
【０４９１】
用紙紙質情報保存部１０１３は、印刷ジョブの印刷に使用される給紙トレイに収納されている用紙紙質についての情報を保存する。
【０４９２】
印刷に使用される給紙トレイは、印刷ジョブ生成時に送信端末１５０で指示されている場合もあれば、画像形成装置１０００に設定されている優先順位によって使用される給紙トレイが決定される場合もある。
【０４９３】
用紙紙質は裏紙か未印刷用紙かを示すものである。
【０４９４】
用紙枚数情報保存部１０１４は、印刷される印刷ジョブの印刷枚数を保存する。
【０４９５】
付加情報付加枚数格納部１０１５は、付加情報の印刷が行われる裏紙の枚数を保存する。
【０４９６】
設定付加情報格納部１０１６は、裏紙の既印刷面に印刷される付加情報のパターン名を保存する。
【０４９７】
各種付加情報データ記憶部１０１７は、裏紙の既印刷面に印刷される各種付加情報のパターンを付加情報データとして記憶する。  ユーザは、この各種付加情報データ記憶部１０１７に記憶される付加情報データから所望の付加情報を裏紙の既印刷面に印刷させることができる。
【０４９８】
また、送信端末１５０は、第１実施例で説明したように、通信Ｉ／Ｆ部１５１、入力部１５２、制御部１５３、表示部１５４、記憶部１５５、プリンタドライバ１５６を有する。
【０４９９】
プリンタドライバ１５６は、操作者が指示する原稿を画像形成装置１０００で印刷させる印刷ジョブを生成するプリンタドライバである。
【０５００】
このように構成される印刷システム１０において、画像形成装置１０００は、印刷に使用される用紙を収納する給紙トレイと手差しトレイを有しており、給紙トレイに収納される用紙は上位面（鉛直方向上向きの面）が印刷される印刷面となり、また、手差しトレイに収納される用紙は下位面（鉛直方向下向きの面）が印刷される印刷面となる。
【０５０１】
また、画像形成装置１０００から排出される用紙は、印刷部１００２で印刷された用紙の印刷面が排出時に下位面（鉛直方向下向きの面）となるように排紙トレイに排出される。
【０５０２】
それで、裏紙の既印刷面に付加情報が印刷される場合には、既印刷面に付加情報が印刷された面が下位面となって、裏紙の未印刷面が上位面となるように排紙トレイに排出される。
【０５０３】
もし、裏紙が収納されている給紙トレイに、裏紙ではない両面印刷済みの用紙が混じっていた場合には、その給紙トレイから既印刷面の付加情報が印刷されて、両面印刷済みの用紙に付加情報が印刷され排出されると、排出された用紙の上位面が白紙でなく印刷がされている状態となる。
【０５０４】
それで、裏紙の既印刷面に付加情報を印刷させている操作者は、排紙トレイより排出される用紙が上位面が白紙になっているかどうかを確認する。  その場合、上位面が白紙になっている場合にはそのまま印刷を継続させるが、両面印刷済みの用紙が混入していて上位面が白紙でない場合にはその用紙は操作者により取り除かれる。
【０５０５】
そして、裏紙の既印刷面への付加情報印刷に失敗して取り除かれた用紙の枚数分だけ、再度、裏紙の既印刷面への付加情報印刷が行われる。
【０５０６】
次に、印刷ジョブの各種情報について図２６を参照して説明を行う。
【０５０７】
図２６は、印刷ジョブの各種情報であるジョブ情報について示した模式図である。
【０５０８】
ジョブ情報は、図２６に示すように、ユーザＩＤ、ジョブ名、用紙紙質、総ページ数、付加情報印刷枚数、設定付加情報、ジョブデータから成る。
【０５０９】
ユーザＩＤは、その印刷ジョブを送信端末１５０から印刷指示した操作者の識別番号を示すものであり、ジョブ情報保存部１０１０に保存される。
【０５１０】
ジョブ名は、その印刷ジョブで印刷される原稿の名前であり、ジョブ情報保存部１０１０に保存される。
【０５１１】
用紙紙質は、その印刷ジョブの印刷に使用される用紙が裏紙か未印刷用紙かを示すものであり、用紙紙質情報保存部１０１３に保存される。
【０５１２】
総ページ数は、その印刷ジョブの印刷枚数を示すものであり、用紙枚数情報保存部１０１４に保存される。
【０５１３】
付加情報印刷枚数は、その印刷ジョブが裏紙が使用されて印刷される際に、既印刷面に付加情報が印刷される裏紙の枚数を示すものであり、付加情報付加枚数格納部１０１５に保存される。
【０５１４】
設定付加情報は、操作者から選択されるなどして設定された裏紙の既印刷面に印刷される付加情報を示す付加情報のパターン名であり、設定付加情報格納部１０１６に保存される。
【０５１５】
ジョブデータは、その印刷ジョブが印刷される内容を示すデータであり、画像生成部１０１１はこのジョブデータに基づき印刷されるビットマップ画像を生成する。
【０５１６】
次に、画像形成装置１０００で設定される付加情報について図２７を参照して説明を行う。
【０５１７】
図２７は、画像形成装置１０００のユーザＩ／Ｆ部１００４で行われる付加情報の設定を示す模式図である。
【０５１８】
画像形成装置１０００で裏紙が使用される印刷が行われる場合には、事前に、画像形成装置１０００の給紙トレイに、裏紙の既印刷面が給紙トレイの上位面となるように収納される。
【０５１９】
また、画像形成装置１０００で裏紙が使用される印刷が行われる場合には、事前に、画像形成装置１０００のユーザＩ／Ｆ部１００４から、裏紙の既印刷面に印刷される付加情報の選択設定が行われる。
【０５２０】
裏紙の既印刷面に印刷される付加情報の選択設定は、図２７（ａ）に示すように、ユーザＩ／Ｆ部１００４で「フカジョウホウ  パターンセッテイ」が選択されて行われる。
【０５２１】
ユーザＩ／Ｆ部１００４で「フカジョウホウ  パターンセッテイ」が選択されると、矢印キー２７０１が押下されることで各種付加情報のパターン名が表示される（図２７（ｂ）、（ｃ）、（ｄ）、（ｅ））。
【０５２２】
そして、ユーザＩ／Ｆ部１００４を操作する操作者は、図２７（ｅ）に示すように、所望の付加情報のパターンを選択して設定する。
【０５２３】
設定された付加情報のパターン名は設定付加情報格納部１０１６に格納される。
【０５２４】
画像形成装置１０００でこのような事前の設定が行われた後に、送信端末１５０から画像形成装置１０００で印刷するよう印刷指示がなされる。
【０５２５】
送信端末１５０で印刷指示がなされると、画像形成装置１０００へ印刷ジョブが送信される。
【０５２６】
次に、画像形成装置１０００で裏紙が使用された手動両面印刷が行われる処理について図２８を参照して説明を行う。
【０５２７】
図２８は、画像形成装置１０００で裏紙が使用された手動両面印刷が行われる処理について示したフローチャートである。
【０５２８】
裏紙が収納される給紙トレイより印刷ジョブの手動両面印刷が行われる場合について説明する。
【０５２９】
裏紙が収納される給紙トレイの選択は、印刷ジョブ作成時に送信端末１５０で指定選択される、或いは、画像形成装置１０００に設定される給紙トレイの優先順位に基づき裏紙が収納される給紙トレイが選択される。
【０５３０】
送信端末１５０より送られた印刷ジョブを受信して、その印刷ジョブが使用する給紙トレイが、裏紙が収納された給紙トレイであると（Ｓ２８０１）、印刷ジョブのジョブ情報がジョブ情報保存部１０１０に保存される。
【０５３１】
ジョブ情報が保存されると、そのジョブ情報に基づいて裏紙の既印刷面に付加情報の印刷が１ページ行われる（Ｓ２８０２）。
【０５３２】
印刷されて排出される印刷結果は、排紙トレイで操作者から監視されている。
【０５３３】
そして、排紙トレイに排出される印刷結果は、印刷面がフェイスダウン（印刷面が下位面）となるように排出されるが、使用される給紙トレイに裏紙でなく両面印刷済みの用紙が混入していた場合にはその両面印刷済みの用紙は排紙トレイでの排出時に上位面が印刷済みとなっていることが確認される。
【０５３４】
この確認が操作者により行われながら、付加情報の印刷が行われる（Ｓ２８０４でＮＯより結合子Ｄを介してＳ２８０２へ）。
【０５３５】
裏紙が排出されると排紙トレイでの上位面は白紙となるので、上位面が白紙となっていない用紙（両面印刷済みの用紙等）は（Ｓ２８０３でＮＯ）操作者に発見され次第取り除かれる（Ｓ２８０５）。
【０５３６】
操作者は、図２９に示すように、排紙トレイから排紙される用紙の上位面を１枚づつ確認し、上位面が白紙になっている場合はやりすごし、上位面が印刷済みの場合にはその用紙を取り除く。
【０５３７】
付加情報付加枚数格納部１０１５に格納される枚数だけ付加情報の印刷が行われると（Ｓ２８０４でＹＥＳ）、操作者に排紙トレイから取り除かれた用紙があった場合には（Ｓ２８０６でＹＥＳ）、操作者は、取り除いた用紙の枚数をユーザＩ／Ｆ部１００４より図３０に示すように入力する（Ｓ２８０７）。
【０５３８】
図３０は、Ｓ２８０５で排紙トレイから取り除かれた用紙の枚数が入力されるユーザＩ／Ｆ部１００４の画面を示す図であり、
付加情報の印刷が終了するとユーザＩ／Ｆ部１００４には図３０（ａ）に示すように、裏紙が白紙でない用紙について尋ねる基本画面が表示される。
【０５３９】
操作者は、裏紙が白紙でない用紙が「アリ」を選択し（図３０（ｂ）から図３０（ｃ））、その枚数を入力する（図３０（ｄ）から図３０（ｅ））。
【０５４０】
このように取り除かれた用紙の枚数が入力されると、入力された枚数だけ更に裏紙の既印刷面に付加情報が印刷されて排紙トレイに出力される（Ｓ２８０２、Ｓ２８０３でＹＥＳ、Ｓ２８０４でＮＯ）。
【０５４１】
排紙トレイに出力される際には、再び、上位面が白紙でない用紙が排紙されるか否かを操作者が監視する。
【０５４２】
上位面が白紙でない用紙が排紙されると、操作者はその用紙を取り除き（Ｓ２８０５）、付加情報の印刷が終わった後に再度、取り除いた用紙の枚数をユーザＩ／Ｆ部１００４に入力する（Ｓ２８０７）。
【０５４３】
取り除いた用紙の枚数が入力されると、その入力された枚数だけ、裏紙の既印刷面に付加情報が印刷される（Ｓ２８０７から結合子Ｄを介してＳ２８０２へ）。
【０５４４】
このようにして取り除かれる用紙がなくなるまで、付加情報の印刷と、取り除いた用紙の枚数の入力とが行われる。
【０５４５】
取り除かれる用紙がなくなり、操作者が、付加情報付加枚数格納部１０１５に格納された印刷枚数分の、裏紙の既印刷面に付加情報が印刷された用紙を排紙トレイから取得すると（Ｓ２８０６でＮＯ）付加情報の印刷は終了する。
【０５４６】
取り除かれる用紙がなくなり、付加情報の印刷が終了すると、操作者は、図３０（ｆ）、図３０（ｇ）に示すように、ユーザＩ／Ｆ部１００４に、白紙で無い用紙はなしと入力する。
【０５４７】
すると、ユーザＩ／Ｆ部１００４に、図３０（ｈ）に示すように、用紙を給紙トレイにセットしてセットボタンを押下するように指示する画面が表示される。
【０５４８】
操作者は、指示に従って、排紙トレイから取得した裏紙の既印刷面に付加情報が印刷された用紙を手差しトレイに印刷面に注意して収納する。
【０５４９】
手差しトレイへの収納では、手差しトレイに収納される用紙の印刷面は下位面であるから、用紙の未印刷面が下位面となるように収納される。
【０５５０】
用紙が収納されて、ユーザＩ／Ｆ部１００４に図３０（ｈ）に示すように「用紙を給紙トレイにセットしてセットボタンを押下」するように表示されている状態で、セットボタンが操作者により押下されると（Ｓ２８０８でＹＥＳ）、受信された印刷ジョブの印刷が手差しトレイに収納された用紙から行われる（Ｓ２８０９）。
【０５５１】
印刷ジョブの印刷は、ジョブデータ蓄積部１００９からジョブデータ読出部１００８で読み出された印刷ジョブに基づき印刷データ処理部１００７の画像生成部１０１１でビットマップ画像が生成されて、手差しトレイに収納された用紙の未印刷面にそのビットマップ画像が印刷される（Ｓ２８０９）。
【０５５２】
このように画像形成装置１０００では、裏紙の既印刷面に付加情報が印刷される際に、裏紙が収納される給紙トレイに両面印刷済みの用紙が混じっていた場合に、その用紙が取り除かれて、指定の枚数の付加情報が印刷された裏紙が取得される。
【０５５３】
尚、画像形成装置１０００は、排紙用紙は印刷面が下位面で排出されるように説明したが、印刷面が上位面で排出されても、下位面を操作者が確認することができるミラー等の装置を備え付けることによって本発明が適用できる。
【実施例１１】
【０５５４】
印刷システム１１について図３１を参照して説明を行う。
【０５５５】
尚、第１１実施例では、第１実施例で説明した構成部や装置と同じ機能、構成を有する構成部や装置には同じ参照番号を付して説明する為、その構成部や装置についての同じ内容の説明はなるべく省略し異なる機能についての説明を行うようにする。
【０５５６】
図３１は、印刷システム１１の機能的構成を示す模式図である。
【０５５７】
印刷システム１１は、画像形成装置１１００と送信端末１５０とがネットワーク接続或いはローカル接続によって通信可能に接続されて構成される。
【０５５８】
画像形成装置１１００は、通信Ｉ／Ｆ部１１０１、印刷部１１０２、ユーザＩ／Ｆ部１１０３、ＲＯＭ１１０４、ＲＡＭ１１０５、制御部１１０６、印刷データ処理部１１０７を有する。
【０５５９】
通信Ｉ／Ｆ部１１０１は、画像形成装置１１００と送信端末１５０とが接続される通信回線に接続され、送信端末１５０から印刷ジョブなどを受信する。
【０５６０】
印刷部１１０２は、用紙に画像を形成する印刷実行機構を備えて、印刷を実行する。
【０５６１】
ユーザＩ／Ｆ部１１０３は、液晶のタッチパネルで構成されるユーザインタフェースである。
【０５６２】
ＲＯＭ１１０４は、画像形成装置１１００を動作させるファームウェアなどを記憶する。
【０５６３】
ＲＡＭ１１０５は、装置を制御するシステムデータなどの各種データを記憶するワークエリアの機能を司る。
【０５６４】
制御部１１０６は、ＣＰＵで構成され、画像形成装置１１００を統括的に制御する。
【０５６５】
そして、制御部１１０６は、付加情報印刷制御部１１０８の機能を有する。
【０５６６】
付加情報印刷制御部１１０８は、画像形成装置１１００で印刷ジョブの印刷が、付加情報が既印刷面に印刷された裏紙が使用されて行われる場合に、ＪＡＭ（用紙送り不具合）が発生してリカバリ印刷がされると、付加情報が既印刷面に印刷された裏紙を形成すべく裏紙の既印刷面に付加情報を印刷させる制御を行う。
【０５６７】
印刷データ処理部１１０７は、印刷部１１０２で印刷されるビットマップ画像を生成する処理を行い、その為に、画像生成部１１０９と付加情報データ生成部１１１０とを備える。
【０５６８】
画像生成部１１０９は、受信した印刷ジョブのＰＤＬ言語を解析して印刷部１１０２で印刷されるビットマップ画像を生成する。
【０５６９】
付加情報データ生成部１１１０は、裏紙の既印刷面に印刷される付加情報のビットマップ画像を生成する。
【０５７０】
また、送信端末１５０は、第１実施例で説明したように、通信Ｉ／Ｆ部１５１、入力部１５２、制御部１５３、表示部１５４、記憶部１５５、プリンタドライバ１５６を有する。
【０５７１】
プリンタドライバ１５６は、操作者が指示する原稿を画像形成装置１１００で印刷させる印刷ジョブを生成するプリンタドライバである。
【０５７２】
このように構成される印刷システム１１において、画像形成装置１１００は、裏紙が使用されて手動両面印刷が行われる際に、付加情報が既印刷面に印刷された裏紙の未印刷面に印刷ジョブのデータが印刷されていてＪＡＭが発生するとリカバリ印刷が行われる。
【０５７３】
そして、画像形成装置１１００では、リカバリ印刷で使用された用紙を補うべく、リカバリ印刷された印刷枚数だけ裏紙に付加情報が印刷されるように処理される。
【０５７４】
次に、画像形成装置１１００で裏紙を使った手動両面印刷が行われる際に、裏紙の既印刷面に付加情報が印刷される処理について図３２を参照して説明を行う。
【０５７５】
図３２は、画像形成装置１１００で、裏紙の既印刷面に付加情報が印刷される処理を示したフローチャートである。
【０５７６】
送信端末１５０より印刷ジョブを受信した画像形成装置１１００は、印刷ジョブのデータを印刷させる枚数分だけ、裏紙に付加情報を印刷する。
【０５７７】
裏紙の既印刷面に付加情報が印刷される処理は制御部１１０６の付加情報印刷制御部１１０８により制御される。
【０５７８】
まず、付加情報を印刷させる枚数が「ｉ」に入力される（Ｓ３２０１）。
【０５７９】
そして、付加情報データ生成部１１１０で生成されたビットマップ画像が、裏紙が収納された給紙トレイ内の裏紙の既印刷面に対して１枚印刷される（Ｓ３２０３）。
【０５８０】
付加情報の印刷が１枚行われると、「ｉ」が１だけ減算処理され（Ｓ３２０４）、「ｉ＞０」か否かが制御部１１０６により確認される（Ｓ３２０２）。
【０５８１】
「ｉ＞０」である場合には（Ｓ３２０２でＹＥＳ）、引き続き付加情報の印刷が継続される（Ｓ３２０３、Ｓ３２０４）。
【０５８２】
そして、「ｉ＞０」でない場合となる（ｉ枚の印刷が行われる）まで付加情報の印刷が行われ、ｉ枚の付加情報の印刷が行われて「ｉ＞０」でない場合となると（Ｓ３２０２でＮＯ）、ユーザＩ／Ｆ部１１０３に付加情報印刷終了が表示される（Ｓ３２０５）。
【０５８３】
そして、ユーザＩ／Ｆ部１１０３に付加情報印刷を追加して行うか否かを確認するメッセージが表示される（Ｓ３２０６）。
【０５８４】
付加情報印刷時になんらかの理由でうまく付加情報が印刷されなかった裏紙があった場合には、操作者は追加の付加情報印刷を行う。
【０５８５】
操作者より追加の付加情報印刷を行うようユーザＩ／Ｆ部１１０３に指示されると（Ｓ３２０７でＹＥＳ）、ユーザＩ／Ｆ部１１０３に追加印刷の枚数を入力するように表示され（Ｓ３２０８）、ユーザにより追加印刷の枚数がユーザＩ／Ｆ部１１０３に入力される。
【０５８６】
ユーザＩ／Ｆ部１１０３で受け付けた追加印刷の枚数は「ｉ」に入力されて（Ｓ３２０９）、ｉ枚の付加情報の追加印刷が行われる（Ｓ３２０２でＹＥＳ、Ｓ３２０３、Ｓ３２０４、Ｓ３２０２）。
【０５８７】
追加印刷が終了すると、先ほどと同様に、ユーザＩ／Ｆ部１１０３に、付加情報印刷終了が表示され（Ｓ３２０５）、追加印刷を行うか否かを確認するメッセージが表示される（Ｓ３２０６）。
【０５８８】
操作者が追加印刷を行わないことを選択して入力すると（Ｓ３２０７でＮＯ）、裏紙の既印刷面に付加情報が印刷される処理は終了する。
【０５８９】
尚、図３２のＳ３２０５、Ｓ３２０６、Ｓ３２０７、Ｓ３２０８などの画像形成装置１１００と操作者とのやり取りは、ユーザＩ／Ｆ部１１０３をユーザインタフェースとしないで、送信端末１５０をユーザインタフェースとして送信端末１５０を操作する操作者と画像形成装置１１００とのやり取りとして行われるように構成してもよい。
【０５９０】
次に、画像形成装置１１００で、既印刷面に付加情報が印刷された用紙が使用されて、印刷ジョブのデータが印刷される処理について図３３を参照して説明を行う。
【０５９１】
図３３は、画像形成装置１１００で、印刷ジョブの印刷が裏紙を使った手動両面印刷で行われる処理を示したフローチャートである。
【０５９２】
画像形成装置１１００では、送信端末１５０から送られた印刷ジョブを受信すると、図３２を参照して説明したように、印刷ジョブの印刷枚数分だけ、裏紙の既印刷面に付加情報を印刷させる（Ｓ３３０１のサブルーチン（図３２を参照して説明した内容））。
【０５９３】
印刷ジョブの印刷枚数分だけ、裏紙の既印刷面に付加情報が印刷されると、操作者は、その印刷結果を、給紙トレイに収納する。
【０５９４】
操作者が印刷結果を給紙トレイに収納する際には、印刷結果の未印刷面が次の印刷の印刷面となるように用紙の向きが注意される。
【０５９５】
付加情報が印刷された印刷結果を給紙トレイに収納した操作者は、印刷ジョブのデータの印刷指示をユーザＩ／Ｆ部１１０３に入力する。
【０５９６】
印刷ジョブのデータの印刷指示を受け付けた画像形成装置１１００では、受信した印刷ジョブの印刷枚数をＰ、付加情報印刷済みの裏紙の枚数をｔ、印刷済みのページ数をｓ、正常印刷されたページ数をｋ、リカバリ印刷されたページ数をｍとして、最初に、ｔ=Ｐ、ｓ＝０、ｋ＝０、ｍ＝０と制御部１１０６で設定する（Ｓ３３０２）。
【０５９７】
印刷開始時にはｔ＝ｓではないので（Ｓ３３０３でＮＯ）、印刷ジョブのデータの印刷が１ページ行われる（Ｓ３３０４）。
【０５９８】
印刷ジョブのデータの印刷は、受信した印刷ジョブのデータのビットマップ画像が画像生成部１１０９で生成され、その画像が印刷部１１０２で印刷されることで行われる。
【０５９９】
印刷ジョブのデータの印刷が１ページ行われると、印刷済みのページ数を示すｓの値を１増加させる（Ｓ３３０５）。
【０６００】
印刷ジョブのデータの印刷でＪＡＭが発生せずにリカバリ印刷が行われなかった場合には（Ｓ３３０６でＮＯ）、正常印刷されたページ数を示すｋの値を１増加させ（Ｓ３３０７）、正常印刷されたページ数（＝ｋ）がＰの値になれば（Ｓ３３０８でＹＥＳ）、印刷ジョブのデータの印刷は終了する。
【０６０１】
正常印刷されたページ数（＝ｋ）がＰの値になっていない場合には（Ｓ３３０８でＮＯ）、ｔ＝ｓか否かが確認されて、ｔ＝ｓでない場合、印刷ジョブのデータの次のページの印刷が１ページ行われる（Ｓ３３０４）。
【０６０２】
印刷ジョブのデータの印刷が行われると（Ｓ３３０４）、ｓの値が１増加され（Ｓ３３０５）る。
【０６０３】
また、印刷ジョブのデータの印刷中に用紙のＪＡＭが発生しリカバリ印刷が行われた場合には（Ｓ３３０６でＹＥＳ）、リカバリ印刷されたページ数を示すｍの値が１増加される（Ｓ３３０９）。
【０６０４】
尚、リカバリ印刷で印刷ジョブのデータの印刷が例えば２回（ＪＡＭの印刷１回、リカバリ印刷１回）行われると、印刷済みのページ数を示すｓの値は、それぞれの印刷において１ずつ増加され（ＪＡＭの印刷でＳ３３０４、Ｓ３３０５が行われ、リカバリ印刷でＳ３３０４、Ｓ３３０５が行われる）、２増加されることになる。
【０６０５】
そして、ｔ＝ｓか否かが確認されて、ｔ＝ｓでない場合、印刷ジョブのデータの次のページの印刷が１ページ行われる（Ｓ３３０４）。
【０６０６】
このように、印刷ジョブのデータの印刷が１ページづつ行われ、ＪＡＭが発生してリカバリ印刷が行われた場合には、リカバリ印刷されたページ数を示すｍの値が１増加される。
【０６０７】
そして、ｔ＝ｓとなり、印刷済みのページ数と給紙トレイに収納される付加情報印刷済みの裏紙の枚数とが等しくなると（Ｓ３３０３でＹＥＳ）、制御部１１０６は、付加情報印刷制御部１１０８に、リカバリ印刷されたページ数であるｍ枚を追加付加情報印刷するように指示する（Ｓ３３１０）。
【０６０８】
付加情報印刷制御部１１０８は、図３２を参照して説明したように、給紙トレイに収納されている裏紙を使用して、裏紙の既印刷面に付加情報をｍ枚印刷させる（サブルーチンＳ３３１１）。
【０６０９】
ｍ枚の裏紙の未印刷面に付加情報が印刷されると、その印刷結果が操作者により給紙トレイに収納される。  給紙トレイへの印刷結果の収納は、未印刷面が次の印刷の印刷面となるように収納される。
【０６１０】
そして、操作者は、印刷ジョブのデータの印刷指示をユーザＩ／Ｆ部１１０３より入力する。
【０６１１】
印刷ジョブのデータの印刷指示を受け付けた画像形成装置１１００では、制御部１１０６で、ｔ＋ｍを新たなｔとして再設定し、ｍを０に再設定する（Ｓ３３１２）。
【０６１２】
ｔとｍとが再設定されると、印刷ジョブのデータの印刷が１ページ分行われるＳ３３０４の処理が行われる。
【０６１３】
そして処理はＳ３３０５からＳ３３０６へと続いて印刷処理が引き続き実行され、受信した印刷ジョブの印刷枚数のＰ枚だけ正常印刷が行われると（Ｓ３３０８でＹＥＳの「ｋ＝Ｐ」）、印刷処理は終了される。
【０６１４】
このように画像形成装置１１００では、裏紙を使用した手動両面印刷において、印刷ジョブのデータの印刷が行われる際にＪＡＭが発生してリカバリ印刷が行われると、リカバリ印刷された枚数分だけ裏紙の未印刷面に付加情報が追加印刷される処理が行われる。
【０６１５】
そして、その追加印刷された印刷結果が使用されて印刷ジョブのデータの印刷が行われる。
【０６１６】
次に、画像形成装置１１００に複数の給紙トレイが備えられた場合について図３４を参照して説明を行う。
【０６１７】
図３４は、画像形成装置１１００に複数の給紙トレイが備えられ、印刷ジョブの印刷が裏紙を使った手動両面印刷で行われる処理を示したフローチャートである。
【０６１８】
尚、図３３のフローチャートを参照して説明した処理と同様の処理については同じ参照番号（Ｓ〜）を付して簡単に説明する。
【０６１９】
画像形成装置１１００では、送信端末１５０から送られた印刷ジョブを受信すると、図３２を参照して説明したように、印刷ジョブの印刷枚数だけ裏紙に付加情報印刷を行う（Ｓ３３０１のサブルーチン（図３２を参照して説明した内容））。
【０６２０】
そして、操作者は、その印刷結果を未印刷面が印刷面となるように給紙トレイに収納する。
【０６２１】
次に操作者は、ユーザＩ／Ｆ部１１０３に印刷指示を入力する。
【０６２２】
すると画像形成装置１１００では、制御部１１０６に、上述して説明したＰ、ｔ、ｓ、ｋ、ｍとが設定される（Ｓ３３０２）。
【０６２３】
そして、印刷ジョブのデータが１ページ印刷されて（Ｓ３３０４）、ｓの値が１増加され（Ｓ３３０５）、ＪＡＭが発生していなければ（Ｓ３３０６でＮＯ）ｋの値が１増加される（Ｓ３３０７）。
【０６２４】
また、ＪＡＭが発生してリカバリ印刷が行われていれば（Ｓ３３０６でＹＥＳ）、ｍの値が１増加される（Ｓ３３０９）。
【０６２５】
そしてｔ＝ｓか否かが確認されて、再度、印刷ジョブのデータの印刷が１ページ分行われる（Ｓ３３０４）。
【０６２６】
このようにして印刷が行われ、１度でもリカバリ印刷が実行されてからｔ＝ｓが確認されると（Ｓ３３０３でＹＥＳ）、制御部１１０６は、画像形成装置１１００に備えられる給紙トレイの中から未印刷用紙が収納される給紙トレイが存在するか否かを確認する（Ｓ３４０１）。
【０６２７】
画像形成装置１１００は、不図示の給紙トレイ情報部を備え、給紙トレイ情報部に記憶される各々の給紙トレイに収納される用紙についての情報に基づき未印刷用紙が収納される給紙トレイの存在を確認する。
【０６２８】
未印刷用紙が収納される給紙トレイが存在すると（Ｓ３４０１でＹＥＳ）、制御部１１０６は印刷ジョブのデータの印刷に使用する給紙トレイを、未印刷用紙が収納される給紙トレイに変更する（Ｓ３４０２）。
【０６２９】
変更された給紙トレイに未印刷用紙が収納されていなければ（Ｓ３４０３でＮＯ）、ユーザＩ／Ｆ部１１０３に、その給紙トレイに未印刷用紙を補給する要求が表示される（Ｓ３４０４）。
【０６３０】
未印刷用紙の補給がされる等で、変更された給紙トレイに未印刷用紙が収納される状態である場合には（Ｓ３４０３でＹＥＳ）、ｔとｍとが再設定されるＳ３３１２の処理が行われる。
【０６３１】
そして、処理はＳ３３０４からＳ３３０５へ処理が行われ、それから処理が引き続き行われた後、受信した印刷ジョブの印刷枚数のＰ枚だけ正常印刷が行われると（Ｓ３３０８でＹＥＳの「ｋ＝Ｐ」）、印刷処理は終了される。
【０６３２】
また、Ｓ３４０２で、未印刷用紙が収納される給紙トレイが存在しない場合には（Ｓ３４０１でＮＯ）、処理はＳ３３１０へと進み、制御部１１０６が付加情報印刷制御部１１０８に追加付加情報印刷するよう指示する。
【０６３３】
そして、図３３を参照して説明したように、Ｓ３３１１、Ｓ３３１２、Ｓ３３０４、Ｓ３３０５と処理が行われ、それから処理が引き続き行われた後、受信した印刷ジョブの印刷枚数のＰ枚だけ正常印刷が行われると（Ｓ３３０８でＹＥＳの「ｋ＝Ｐ」）、印刷処理は終了される。
【０６３４】
このように画像形成装置１１００では、裏紙を使用した手動両面印刷において、裏紙が収納される給紙トレイとは別の未印刷用紙が収納される給紙トレイが存在する場合には、印刷ジョブのデータの印刷が行われる際にＪＡＭが発生してリカバリ印刷が行われると、リカバリ印刷された枚数分だけ未印刷用紙を収納する給紙トレイから印刷ジョブのデータの印刷が行われる。
【産業上の利用可能性】
【０６３５】
この発明は、画像形成装置において利用可能である。
【符号の説明】
【０６３６】
１    印刷システム
２    印刷システム
３    印刷システム
４    印刷システム
５    印刷システム
６    印刷システム
７    印刷システム
８    印刷システム
９    印刷システム
１０    印刷システム
１１    印刷システム
１００    画像形成装置
１０３    印刷方法判定部
１０４    トレイ情報記憶部
１１０    ＲＡＭ
２００    画像形成装置
２０１    画像データ蓄積部
３００    画像形成装置
３０１    双方向通信ポート
３５０    送信端末
３５１    印刷データ蓄積部
５００    画像形成装置
５０１    印刷データ処理部
５５０    送信端末
５５１    プリンタドライバ
５５２    印刷データ生成部
５５３    付加情報データ生成部
６００    画像形成装置
６０２    制御部
６０７    ユーザ情報管理部
６０９    手動両面制御部
６１０    手動両面監視部
６１１    エラー判定部
６１４    時間計測部
７００    画像形成装置
７０１    パスワード保存部
７０２    エラー解除判定部
８００    画像形成装置
８０１    エラー状態保存部
９００    画像形成装置
９０４    履歴管理部
９０６    隠蔽ユーザ情報格納部
９０８    印刷管理部
９５０    送信端末
９５２    隠蔽処理ユーザ設定モジュール
９５３    隠蔽処理設定ＵＩ部
９５４    ユーザ情報ＵＩ部
１０００    画像形成装置
１００８    ジョブデータ読出部
１００９    ジョブデータ蓄積部
１０１０    ジョブ情報保存部
１０１３    用紙紙質情報保存部
１０１４    用紙枚数情報保存部
１０１５    付加情報付加枚数格納部
１０１６    設定付加情報格納部
１１００    画像形成装置
１１０８    付加情報印刷制御部
【図１】
2010221416.tif 000003
【図２】
2010221416.tif 000004
【図３】
2010221416.tif 000005
【図４】
2010221416.tif 000006
【図５】
2010221416.tif 000007
【図６】
2010221416.tif 000008
【図７】
2010221416.tif 000009
【図８】
2010221416.tif 000010
【図９】
2010221416.tif 000011
【図１０】
2010221416.tif 000012
【図１１】
2010221416.tif 000013
【図１２】
2010221416.tif 000014
【図１３】
2010221416.tif 000015
【図１４】
2010221416.tif 000016
【図１５】
2010221416.tif 000017
【図１６】
2010221416.tif 000018
【図１７】
2010221416.tif 000019
【図１８】
2010221416.tif 000020
【図１９】
2010221416.tif 000021
【図２０】
2010221416.tif 000022
【図２１】
2010221416.tif 000023
【図２２】
2010221416.tif 000024
【図２３】
2010221416.tif 000025
【図２４】
2010221416.tif 000026
【図２５】
2010221416.tif 000027
【図２６】
2010221416.tif 000028
【図２７】
2010221416.tif 000029
【図２８】
2010221416.tif 000030
【図２９】
2010221416.tif 000031
【図３０】
2010221416.tif 000032
【図３１】
2010221416.tif 000033
【図３２】
2010221416.tif 000034
【図３３】
2010221416.tif 000035
【図３４】
2010221416.tif 000036